(57)【特許請求の範囲】
【請求項１】
屋根下地に対して複数の太陽電池モジュールを屋根の軒棟方向に配置し、前記軒棟方向に隣接する太陽電池モジュールが重なり部分をもって段状に配置される太陽電池モジュールの配置構造において、
前記太陽電池モジュールは、太陽電池パネルと、前記太陽電池パネルを保持する保持部材を含み、
前記保持部材は、軒先側枠部を有し、
前記軒先側枠部は、少なくとも２つの分割片を有し、前記２つの分割片を用いて前記太陽電池パネルの軒先側端部を保持するものであり、
前記２つの分割片は、一方の分割片が他方の分割片に対して着脱可能であり、
前記軒棟方向に隣接する太陽電池モジュールのうち、棟側の太陽電池モジュールの軒先側枠部は、軒先側の太陽電池モジュールの受光面側の面上に載置されており、
前記棟側の太陽電池モジュールは、前記軒先側枠部の前記一方の分割片を他方の分割片に対して取り外すことで、自己の太陽電池パネルが前記軒棟方向において移動可能となることを特徴とする太陽電池モジュールの配置構造。
【請求項２】
前記一方の分割片は、前記太陽電池パネルの一の部分に接触する第１ガスケット部を備えており、
前記他方の分割片は、前記太陽電池パネルの他の部分と接触する第２ガスケット部を備えていることを特徴とする請求項１に記載の太陽電池モジュールの配置構造。
【請求項３】
前記棟側の太陽電池モジュールは、前記軒先側枠部の前記一方の分割片を他方の分割片に対して取り外すことで、自己の太陽電池パネルの軒先側端面が外部に露出することを特徴とする請求項１又は２に記載の太陽電池モジュールの配置構造。
【請求項４】
前記太陽電池パネルは、軒先側に桁行方向に延びた一辺を備えており、
前記一方の分割片は、第１骨格部と、第１ガスケット部を有し、
前記第１ガスケット部は、前記太陽電池パネルの一の部分に接触するものであって、前記太陽電池パネルと前記第１骨格部との間に介在しており、
前記第１骨格部及び第１ガスケット部は、前記軒先側の一辺に沿って連続的又は間欠的に延びており、
前記第１ガスケット部と第１骨格部のうちの一方は、前記軒先側の一辺方向に延びた第１凸条部を備え、他方は前記第１凸条部と同一方向に延びた第１凹溝を備えており、
前記第１ガスケット部と前記第１骨格部は、前記第１凸条部と前記第１凹溝の嵌合によって一体となっていることを特徴とする請求項１〜３のいずれかに記載の太陽電池モジュールの配置構造。
【請求項５】
前記第１凸条部及び前記第１凹溝の延び方向の長さは、前記軒先側の一辺の１／３以上であることを特徴とする請求項４に記載の太陽電池モジュールの配置構造。
【請求項６】
前記太陽電池パネルは、軒先側に桁行方向に延びた一辺を備えており、
前記他方の分割片は、第２骨格部と、第２ガスケット部を有し、
前記第２ガスケット部は、前記太陽電池パネルの他の部分と接触するものであって、前記太陽電池パネルと前記第２骨格部との間に介在しており、
前記第２骨格部及び第２ガスケット部は、前記軒先側の一辺に沿って連続的又は間欠的に延びており、
前記第２ガスケット部と第２骨格部のうちの一方は、前記軒先側の一辺方向に延びた第２凸条部を備え、他方は前記第２凸条部と同一方向に延びた第２凹溝を備えており、
前記第２ガスケット部と前記第２骨格部は、前記第２凸条部と前記第２凹溝の嵌合によって一体となっていることを特徴とする請求項１〜５のいずれかに記載の太陽電池モジュールの配置構造。
【請求項７】
前記保持部材は、第１係合部と、前記太陽電池パネルの棟側端部を保持する棟側枠部を有し、
前記棟側枠部は、前記第１係合部と係合可能な第２係合部を有し、
棟側の太陽電池モジュールは、自己の太陽電池パネルの受光面に対して交差する方向において、第１係合部が軒先側の太陽電池モジュールの第２係合部と係合していることを特徴とする請求項１〜６のいずれかに記載の太陽電池モジュールの配置構造。
【請求項８】
前記他方の分割片は、前記第１係合部を含むことを特徴とする請求項７に記載の太陽電池モジュールの配置構造。
【請求項９】
前記太陽電池パネルは、ガラス板と封止部材との間に太陽電池が介在したものであることを特徴とする請求項１〜８のいずれかに記載の太陽電池モジュールの配置構造。
【請求項１０】
前記保持部材は、前記軒先側枠部と、棟側枠部と、左側枠部と、右側枠部を有し、
前記軒先側枠部及び前記棟側枠部は、それぞれ保持凹部を有し、
前記軒先側枠部の保持凹部には、前記太陽電池パネルの軒先側端部が挿入されており、
前記棟側枠部の保持凹部には、前記太陽電池パネルの棟側端部が挿入されており、
前記左側枠部及び前記右側枠部は、ともに前記太陽電池パネルの裏面を支持するものであって、前記棟側枠部と前記軒先側枠部を連結するものであり、
前記左側枠部上には、前記太陽電池パネルの左側端部の近傍が載置され、前記右側枠部上には、前記太陽電池パネルの右側端部の近傍が載置されており、
一の太陽電池モジュールと、前記一の太陽電池モジュールと桁行方向に隣接する他の太陽電池モジュールを有し、
前記一の太陽電池モジュールの太陽電池パネルの右側端面は、前記桁行方向に隣接する他の太陽電池モジュールの太陽電池パネルの左側端面と直接対面していることを特徴とする請求項１〜９のいずれかに記載の太陽電池モジュールの配置構造。
【請求項１１】
屋根下地に対して、他の太陽電池モジュールと軒棟方向に隣接するように設置され、
前記他の太陽電池モジュールに対して重なり部分をもって段状に配置される太陽電池モジュールであって、
太陽電池パネルと、前記太陽電池パネルを保持する保持部材を含み、
前記保持部材は、軒先側枠部を有し、
前記軒先側枠部は、少なくとも２つの分割片を有し、前記２つの分割片を用いて前記太陽電池パネルの軒先側端部を保持するものであり、
前記２つの分割片は、一方の分割片が他方の分割片に対して着脱可能であり、
前記一方の分割片は、前記太陽電池パネルの一の部分に接触する第１ガスケット部を備えており、
前記他方の分割片は、前記太陽電池パネルの他の部分と接触する第２ガスケット部を備えており、
前記軒先側枠部は、屋根下地に設置する際には、前記他の太陽電池モジュールの受光面側の面上に載置されるものであり、
屋根下地への設置状態において、前記軒先側枠部の前記一方の分割片を他方の分割片に対して取り外すことで、自己の太陽電池パネルが前記軒棟方向において移動可能となることを特徴とする太陽電池モジュール。
【発明の詳細な説明】
【技術分野】
【０００１】
本発明は、太陽電池モジュールの配置構造及び太陽電池モジュールに関する。
【背景技術】
【０００２】
従来から、瓦として機能する瓦一体型太陽電池モジュールが知られている。この瓦一体型太陽電池モジュールは、太陽電池としての機能と、瓦としての機能を兼ね備えた太陽電池モジュールである（例えば、特許文献１）。瓦一体型太陽電池モジュールは、太陽電池パネルに太陽電池パネルの端面を保護するフレームが取り付けられたものであり、当該フレームが屋根下地に対して取付金具を用いずに直接固定されて屋根の一部を構成するものである。
【先行技術文献】
【特許文献】
【０００３】
【特許文献１】特開２０１４−３０７３号公報
【特許文献２】特開２００６−２８６８９８号公報
【発明の概要】
【発明が解決しようとする課題】
【０００４】
ところで、太陽電池モジュールには、止水性や防振性を高める観点から、フレームと太陽電池パネルとの間にガスケットが配置されたものがある（例えば、特許文献２）。
従来の太陽電池モジュールは、略「コ」字状のガスケットを使用しており、当該ガスケットに太陽電池パネルの端部を取り付け、ガスケットを取り付けた状態の太陽電池パネルをガスケットごとフレームに嵌め込んで取り付けられている。すなわち、従来の太陽電池モジュールは、太陽電池パネルの端部にガスケットを取り付けた後に、フレームに嵌め込んで組み立てている。
【０００５】
しかしながら、ガラス板等を使用する太陽電池パネルは、部材の加工上、太陽電池パネルの厚みや形状に若干の個体差が生じてしまう。そのため、ガスケットに正確に太陽電池パネルを取り付けられず、ガスケットがフレームに正確に嵌らない場合がある。このような場合にフレームに太陽電池パネルの端部を強引に嵌め込むと、太陽電池パネルに過剰に力が加わり、太陽電池パネルが破損するおそれがある。また、このような太陽電池モジュールは、構造上、太陽電池パネルの端部にガスケットを取り付ける工程と、太陽電池パネルをフレームに嵌め込む工程が別工程で行う必要があり、作業者にとって、組み立て作業が煩わしいという問題もある。
【０００６】
そこで、本発明は、従来に比べて簡単に組み立てることができる太陽電池モジュール及び太陽電池モジュールの配置構造を提供することを目的とする。
【課題を解決するための手段】
【０００７】
上記した課題を解決するための請求項１に記載の発明は、屋根下地に対して複数の太陽電池モジュールを屋根の軒棟方向に配置し、前記軒棟方向に隣接する太陽電池モジュールが重なり部分をもって段状に配置される太陽電池モジュールの配置構造において、
前記太陽電池モジュールは、太陽電池パネルと、前記太陽電池パネルを保持する保持部材を含み、前記保持部材は、軒先側枠部を有し、前記軒先側枠部は、少なくとも２つの分割片を有し、前記２つの分割片を用いて前記太陽電池パネルの軒先側端部を保持するものであり、前記２つの分割片は、一方の分割片が他方の分割片に対して着脱可能であり、前記軒棟方向に隣接する太陽電池モジュールのうち、棟側の太陽電池モジュールの軒先側枠部は、軒先側の太陽電池モジュールの受光面側の面上に載置されており、前記棟側の太陽電池モジュールは、前記軒先側枠部の前記一方の分割片を他方の分割片に対して取り外すことで、自己の太陽電池パネルが前記軒棟方向において移動可能となることを特徴とする太陽電池モジュールの配置構造である。
請求項２に記載の発明は、前記一方の分割片は、前記太陽電池パネルの一の部分に接触する第１ガスケット部を備えており、前記他方の分割片は、前記太陽電池パネルの他の部分と接触する第２ガスケット部を備えていることを特徴とする請求項１に記載の太陽電池モジュールの配置構造である。
すなわち、本発明は、屋根下地に対して複数の太陽電池モジュールを屋根の軒棟方向に配置し、前記軒棟方向に隣接する太陽電池モジュールが重なり部分をもって段状に配置される太陽電池モジュールの配置構造において、前記太陽電池モジュールは、太陽電池パネルと、前記太陽電池パネルを保持する保持部材を含み、前記保持部材は、軒先側枠部を有し、前記軒先側枠部は、少なくとも２つの分割片を有し、前記２つの分割片を用いて前記太陽電池パネルの軒先側端部を保持するものであり、前記２つの分割片は、一方の分割片が他方の分割片に対して着脱可能であり、前記一方の分割片は、前記太陽電池パネルの一の部分に接触する第１ガスケット部を備えており、前記他方の分割片は、前記太陽電池パネルの他の部分と接触する第２ガスケット部を備えており、前記軒棟方向に隣接する太陽電池モジュールのうち、棟側の太陽電池モジュールの軒先側枠部は、軒先側の太陽電池モジュールの受光面側の面上に載置されている太陽電池モジュールの配置構造に関連する。
【０００８】
本発明の構成によれば、軒先側枠部の一方の分割片が他方の分割片に対して着脱可能であって、一方の分割片及び他方の分割片のそれぞれにガスケット部が設けられている。そして、これらの分割片を組み立てることによって太陽電池パネルの軒先側端部を保持可能となっている。そのため、あらかじめガスケット部を太陽電池パネルの軒先側端部に取り付ける工程が必要なく、一方の分割片及び他方の分割片を組み立てと同時にガスケット部を太陽電池パネルの軒先側端部に取り付けることができ、組み立て時の作業性が高い。
また、本発明の構成によれば、太陽電池パネルの一部にガラス板等を使用し、ガラス板等の形状や厚みに個体差が生じた場合でも、分割片を組み立てて太陽電池パネルの軒先側端部を保持するので、製品間の個体差を吸収することが可能である。そのため、強引にガスケット部をフレーム等に嵌める必要がなく、従来のようなガスケット部をフレーム等に嵌め込むことによる破損を防止することができる。
本発明の構成によれば、棟側の太陽電池モジュールの軒先側枠部は、軒先側の太陽電池モジュールの受光面側の面上に載置されているので、棟側の太陽電池モジュールの自重によって軒先側の太陽電池モジュールを押さえつけることができ、軒先側の太陽電池モジュールに吹き上げ力が働いた場合でも、軒先側の太陽電池モジュールが屋根下地から外れにくい。また、棟側の太陽電池モジュールの軒先側枠部は、軒先側の太陽電池モジュールの受光面側の面上に載置されているので、太陽電池モジュールを屋根下地に取り付けた状態で、棟側の太陽電池モジュールの軒先側枠部の第２分割片から第１分割片を取り外すことが可能である。それ故に、例えば、摩耗等によって第１分割片のガスケット部が擦り減った場合等でも、第１分割片のみを交換することが可能であり、メンテナンスが容易である。
【０００９】
ところで、太陽電池モジュールは、初期不良等によって特定の太陽電池モジュールの太陽電池パネルが破損して交換が必要となった場合やメンテナンスを行う場合において、使用済み太陽電池パネルを新品の太陽電池パネルに交換する場合がある。
しかしながら、従来の太陽電池モジュールは、フレームから太陽電池パネルを取り外す際に太陽電池モジュールを移動させる必要があり、作業性が悪いという問題があった。特に瓦一体型の太陽電池モジュールの場合、太陽電池モジュールを屋根下地に直接取り付けるため、太陽電池モジュール全体を交換する場合、屋根を葺き直す必要があり、より作業性が悪いという問題があった。
【００１０】
そこで、請求項１に記載の発明は、前記棟側の太陽電池モジュールは、前記軒先側枠部の前記一方の分割片を他方の分割片に対して取り外すことで、自己の太陽電池パネルが前記軒棟方向において移動可能となる。
【００１１】
本発明の構成によれば、他方の分割片から一方の分割片を取り外すことで、棟側の太陽電池モジュールの太陽電池パネルが軒棟方向に移動可能となるので、太陽電池モジュールを屋根下地に取り付けた状態で使用済み太陽電池パネルを軒棟方向に引き抜くだけで使用済み太陽電池パネルの取り外しが可能となり、新品の太陽電池パネルを軒棟方向に移動させて棟側枠部に挿入することで取り付けが可能となる。すなわち、本発明の構成によれば、太陽電池モジュールを屋根下地に取り付けた状態で、太陽電池パネルを軒先側枠部から着脱可能であり、メンテナンスや太陽電池パネルの交換作業等が容易である。
【００１２】
請求項３に記載の発明は、前記棟側の太陽電池モジュールは、前記軒先側枠部の前記一方の分割片を他方の分割片に対して取り外すことで、自己の太陽電池パネルの軒先側端面が外部に露出することを特徴とする請求項１又は２に記載の太陽電池モジュールの配置構造である。
【００１３】
本発明の構成によれば、よりメンテナンス等の作業が容易である。
【００１４】
ところで、骨格部とガスケット部を備えた分割片を使用して太陽電池パネルの軒先側端部を保持する場合、分割片のガスケット部と骨格部との接着が十分でないと、太陽電池モジュールを組み立てる際にガスケット部が骨格部から外れたり、ガスケット部と骨格部の位置関係がずれたりするおそれがある。
特に、メンテナンス作業や交換作業等は高所で行うため、上記した発明のように、メンテナンス作業や交換作業等において、分割片を分割させて行う場合には、骨格部とガスケット部が分解されると、著しく作業性が低下することになる。
【００１５】
そこで、請求項４に記載の発明は、前記太陽電池パネルは、軒先側に桁行方向に延びた一辺を備えており、前記一方の分割片は、第１骨格部と、第１ガスケット部を有し、前記第１ガスケット部は、前記太陽電池パネルの一の部分に接触するものであって、前記太陽電池パネルと前記第１骨格部との間に介在しており、前記第１骨格部及び第１ガスケット部は、前記軒先側の一辺に沿って連続的又は間欠的に延びており、前記第１ガスケット部と第１骨格部のうちの一方は、前記軒先側の一辺方向に延びた第１凸条部を備え、他方は前記第１凸条部と同一方向に延びた第１凹溝を備えており、前記第１ガスケット部と前記第１骨格部は、前記第１凸条部と前記第１凹溝の嵌合によって一体となっていることを特徴とする請求項１〜３のいずれかに記載の太陽電池モジュールの配置構造である。
すなわち、本発明は、前記太陽電池パネルは、軒先側に桁行方向に延びた一辺を備えており、前記一方の分割片は、第１骨格部と、前記第１ガスケット部を有し、前記第１ガスケット部は、前記太陽電池パネルと前記第１骨格部との間に介在しており、前記第１骨格部及び第１ガスケット部は、前記軒先側の一辺に沿って連続的又は間欠的に延びており、前記第１骨格部と第１ガスケット部のうちの一方は、前記軒先側の一辺方向に延びた第１凸条部を備え、他方は前記第１凸条部と同一方向に延びた第１凹溝を備えており、前記第１ガスケット部と前記第１骨格部は、それぞれの第１凸条部と第１凹溝が嵌合して一体となっている。
【００１６】
本発明の構成によれば、第１ガスケット部と第１骨格部は、それぞれの第１凸条部と第１凹溝が嵌合して一体となっているので、工場等での太陽電池モジュールの組み立て作業や現場での高所でのメンテナンス作業等を行う際に、第１ガスケット部が第１骨格部から外れることを防止できる。そのため、第１ガスケット部を第１骨格部に取り付けやすく、位置関係もずれにくい。
また、本発明の構成によれば、桁行方向に延びた第１凸条部と第１凹溝が嵌合しているので、軒先方向に荷重が加わっても第１ガスケット部が第１骨格部に対して軒棟方向に外れることを防止できる。
さらに、本発明の構成によれば、桁行方向に延びた第１凸条部と第１凹溝が嵌合しているので、第１凸条部と第１凹溝の嵌合によって、第１骨格部と前記第１ガスケット部の界面における太陽電池パネルの軒先側端面側への雨水の進入が阻害され、太陽電池パネルの軒先側端面に雨水が至りにくい。そのため、太陽電池パネルの軒先側端面からの雨水の浸入による故障等が生じにくい。
【００１７】
請求項５に記載の発明は、前記第１凸条部及び前記第１凹溝の延び方向の長さは、前記軒先側の一辺の１／３以上であることを特徴とする請求項４に記載の太陽電池モジュールの配置構造である。
【００１８】
本発明の構成によれば、第１凸条部及び第１凹溝の長さが太陽電池パネルの軒先側の一辺の１／３以上であるため、より太陽電池パネルの軒先側端面に雨水が至りにくく、太陽電池パネルの軒先側端面からの雨水の浸入による故障等がより生じにくい。
【００１９】
請求項６に記載の発明は、前記太陽電池パネルは、軒先側に桁行方向に延びた一辺を備えており、前記他方の分割片は、第２骨格部と、第２ガスケット部を有し、前記第２ガスケット部は、前記太陽電池パネルの他の部分と接触するものであって、前記太陽電池パネルと前記第２骨格部との間に介在しており、前記第２骨格部及び第２ガスケット部は、前記軒先側の一辺に沿って連続的又は間欠的に延びており、前記第２ガスケット部と第２骨格部のうちの一方は、前記軒先側の一辺方向に延びた第２凸条部を備え、他方は前記第２凸条部と同一方向に延びた第２凹溝を備えており、前記第２ガスケット部と前記第２骨格部は、前記第２凸条部と前記第２凹溝の嵌合によって一体となっていることを特徴とする請求項１〜５のいずれかに記載の太陽電池モジュールの配置構造である。
すなわち、前記太陽電池パネルは、軒先側に桁行方向に延びた一辺を備えており、前記他方の分割片は、第２骨格部と、前記第２ガスケット部を有し、前記第２ガスケット部は、前記太陽電池パネルと前記第２骨格部との間に介在しており、前記第２骨格部及び第２ガスケット部は、前記軒先側の一辺に沿って連続的又は間欠的に延びており、前記第２骨格部と第２ガスケット部のうちの一方は、前記軒先側の一辺方向に延びた第２凸条部を備え、他方は前記第２凸条部と同一方向に延びた第２凹溝を備えており、前記第２ガスケット部と前記第２骨格部は、それぞれの第２凸条部と第２凹溝が嵌合して一体となっている。
【００２０】
本発明の構成によれば、第２ガスケット部と第２骨格部は、それぞれの第２凸条部と第２凹溝が嵌合して一体となっているので、軒先側枠部を組み立てる際に、第２ガスケット部が第２骨格部から外れることを防止できる。そのため、第２ガスケット部を第２骨格部に取り付けやすく、位置関係もずれにくい。
また、本発明の構成によれば、桁行方向に延びた第２凸条部と第２凹溝が嵌合しているので、軒先方向に荷重が加わっても第２ガスケット部が第２骨格部に対して軒棟方向に外れることを防止できる。
さらに、本発明の構成によれば、桁行方向に延びた第２凸条部と第２凹溝が嵌合しているので、第２凸条部と第２凹溝の嵌合によって、第２骨格部と第２ガスケット部の界面における太陽電池パネルの軒先側端面側への雨水の進入が阻害され、太陽電池パネルの軒先側端面に雨水が至りにくい。そのため、太陽電池パネルの軒先側端面からの雨水の浸入による故障等が生じにくい。
【００２１】
請求項７に記載の発明は、前記保持部材は、第１係合部と、前記太陽電池パネルの棟側端部を保持する棟側枠部を有し、前記棟側枠部は、前記第１係合部と係合可能な第２係合部を有し、棟側の太陽電池モジュールは、自己の太陽電池パネルの受光面に対して交差する方向において、第１係合部が軒先側の太陽電池モジュールの第２係合部と係合していることを特徴とする請求項１〜６のいずれかに記載の太陽電池モジュールの配置構造である。
【００２２】
本発明の構成によれば、棟側の太陽電池モジュールの第１係合部と軒先側の太陽電池モジュールの第２係合部が太陽電池パネルの受光面に対して交差する方向に係合している。そのため、強風等によって棟側の太陽電池モジュールに吹き上げ力が加わっても、軒先側の太陽電池モジュールの第２係合部によって係止でき、棟側の太陽電池モジュールが屋根下地から外れにくい。
【００２３】
請求項７に記載の太陽電池モジュールの配置構造において、前記他方の分割片は、前記第１係合部を含むことが好ましい（請求項８）。
【００２４】
請求項９に記載の発明は、前記太陽電池パネルは、ガラス板と封止部材との間に太陽電池が介在したものであることを特徴とする請求項１〜８のいずれかに記載の太陽電池モジュールの配置構造である。
【００２５】
本発明の構成によれば、個体差が生じやすいガラス板を使用した太陽電池パネルであっても個体差を吸収することができる。
【００２６】
上記した発明は、屋根下地に対して複数の太陽電池モジュールを屋根の軒棟方向に配置し、前記軒棟方向に隣接する太陽電池モジュールが重なり部分をもって段状に配置される太陽電池モジュールの配置構造において、前記太陽電池モジュールは、太陽電池パネルと、前記太陽電池パネルを保持する保持部材を含み、前記保持部材は、軒先側枠部を有し、前記軒先側枠部は、少なくとも２つの分割片を有し、前記２つの分割片を用いて前記太陽電池パネルの軒先側端部を保持するものであり、前記２つの分割片は、一方の分割片が他方の分割片に対して着脱可能であり、前記棟側の太陽電池モジュールは、前記軒先側枠部の前記一方の分割片を他方の分割片に対して取り外すことで、自己の太陽電池パネルが前記軒棟方向において移動可能となる太陽電池モジュールの配置構造に関連する。
【００２７】
この構成によれば、他方の分割片から一方の分割片を取り外すことで、棟側の太陽電池モジュールの太陽電池パネルが軒棟方向に移動可能となる。そのため、太陽電池モジュールを屋根下地に取り付けた状態で使用済み太陽電池パネルを軒棟方向に引き抜くだけで使用済み太陽電池パネルの取り外しが可能となり、新品の太陽電池パネルを軒棟方向に移動させて棟側枠部に挿入することで取り付けが可能となる。それ故に、メンテナンスや太陽電池パネルの交換作業等が容易である。
請求項１０に記載の発明は、前記保持部材は、前記軒先側枠部と、棟側枠部と、左側枠部と、右側枠部を有し、前記軒先側枠部及び前記棟側枠部は、それぞれ保持凹部を有し、前記軒先側枠部の保持凹部には、前記太陽電池パネルの軒先側端部が挿入されており、前記棟側枠部の保持凹部には、前記太陽電池パネルの棟側端部が挿入されており、前記左側枠部及び前記右側枠部は、ともに前記太陽電池パネルの裏面を支持するものであって、前記棟側枠部と前記軒先側枠部を連結するものであり、前記左側枠部上には、前記太陽電池パネルの左側端部の近傍が載置され、前記右側枠部上には、前記太陽電池パネルの右側端部の近傍が載置されており、一の太陽電池モジュールと、前記一の太陽電池モジュールと桁行方向に隣接する他の太陽電池モジュールを有し、前記一の太陽電池モジュールの太陽電池パネルの右側端面は、前記桁行方向に隣接する他の太陽電池モジュールの太陽電池パネルの左側端面と直接対面していることを特徴とする請求項１〜９のいずれかに記載の太陽電池モジュールの配置構造である。
【００２８】
請求項１１に記載の発明は、屋根下地に対して、他の太陽電池モジュールと軒棟方向に隣接するように設置され、前記他の太陽電池モジュールに対して重なり部分をもって段状に配置される太陽電池モジュールであって、太陽電池パネルと、前記太陽電池パネルを保持する保持部材を含み、前記保持部材は、軒先側枠部を有し、前記軒先側枠部は、少なくとも２つの分割片を有し、前記２つの分割片を用いて前記太陽電池パネルの軒先側端部を保持するものであり、前記２つの分割片は、一方の分割片が他方の分割片に対して着脱可能であり、前記一方の分割片は、前記太陽電池パネルの一の部分に接触する第１ガスケット部を備えており、前記他方の分割片は、前記太陽電池パネルの他の部分と接触する第２ガスケット部を備えており、前記軒先側枠部は、屋根下地に設置する際には、前記他の太陽電池モジュールの受光面側の面上に載置されるものであり、屋根下地への設置状態において、前記軒先側枠部の前記一方の分割片を他方の分割片に対して取り外すことで、自己の太陽電池パネルが前記軒棟方向において移動可能となることを特徴とする太陽電池モジュールである。
【００２９】
本発明の構成によれば、軒先側枠部の一方の分割片が他方の分割片に対して着脱可能であって、一方の分割片及び他方の分割片のそれぞれにガスケット部が設けられている。そのため、これらの分割片を組み立てることによって太陽電池パネルの軒先側端部を保持することが可能である。それ故に、あらかじめガスケット部を太陽電池パネルの軒先側端部に取り付ける工程が必要なく、一方の分割片及び他方の分割片を組み立てと同時にガスケット部を太陽電池パネルの軒先側端部に取り付けることができ、組み立て時の作業性が高い。
また、本発明の構成によれば、太陽電池パネルの一部にガラス板等を使用し、ガラス板等の形状や厚みに個体差が生じた場合でも、分割片を組み立てて太陽電池パネルの軒先側端部を保持するので、個体差を吸収することが可能であり、強引にガスケット部をフレーム等に嵌める必要もない。そのため、従来のようなガスケット部をフレーム等に嵌め込むことによる破損を防止することができる。
本発明の構成によれば、軒先側枠部は、他の太陽電池モジュールの受光面側の面上に載置されているので、自重によって他の太陽電池モジュールを押さえつけることができ、他の太陽電池モジュールに吹き上げ力が働いた場合でも、他の太陽電池モジュールが屋根下地から外れにくくすることができる。
【００３０】
本発明に関連する発明は、太陽電池パネルと、前記太陽電池パネルを保持する保持部材を含んだ太陽電池モジュールであって、前記太陽電池パネルは、少なくとも一辺を備えており、前記保持部材は、枠部を有し、前記枠部は、前記太陽電池パネルの端部を保持するものであって、第１骨格部と、第１ガスケット部を有し、前記第１ガスケット部は、前記太陽電池パネルと前記第１骨格部との間に介在しており、前記第１骨格部及び第１ガスケット部は、前記太陽電池パネルの一辺に沿って連続的又は間欠的に延びており、前記第１ガスケット部と第１骨格部のうちの一方は、前記一辺方向に延びた第１凸条部を備え、他方は前記第１凸条部と同一方向に延びた第１凹溝を備えており、前記第１ガスケット部と前記第１骨格部は、前記第１凸条部と前記第１凹溝の嵌合によって一体となっている太陽電池モジュールである。
すなわち、この発明は、太陽電池パネルと、前記太陽電池パネルを保持する保持部材を含んだ太陽電池モジュールであって、前記太陽電池パネルは、少なくとも一辺を備えており、前記保持部材は、枠部を有し、前記枠部は、前記太陽電池パネルの端部を保持するものであって、第１骨格部と、第１ガスケット部を有し、前記第１ガスケット部は、前記太陽電池パネルと前記第１骨格部との間に介在しており、前記第１骨格部及び第１ガスケット部は、前記太陽電池パネルの一辺に沿って連続的又は間欠的に延びており、前記第１骨格部と第１ガスケット部のうちの一方は、前記一辺方向に延びた第１凸条部を備え、他方は前記第１凸条部と同一方向に延びた第１凹溝を備えており、前記第１ガスケット部と前記第１骨格部は、それぞれの第１凸条部と第１凹溝が嵌合して一体となっている。
【００３１】
この構成によれば、第１ガスケット部と第１骨格部は、それぞれの第１凸条部と第１凹溝が嵌合して一体となっているため、軒先側枠部を組み立てる際に、第１ガスケット部が第１骨格部から外れることを防止でき、第１ガスケット部を第１骨格部に取り付けやすく、位置関係もずれにくい。
【発明の効果】
【００３２】
本発明によれば、従来に比べて簡単に組み立てることができる。
【図面の簡単な説明】
【００３３】
【図１】本発明の第１実施形態の屋根構造の模式図である。
【図２】図１の雪止め機能付きの太陽電池モジュールの斜視図である。
【図３】図１の雪止め機能付きの太陽電池モジュールの平面図である。
【図４】図２の太陽電池パネルの説明図であり、（ａ）は太陽電池パネルの平面図であり、（ｂ）は（ａ）のＡ−Ａ断面図である。
【図５】図２の保持部材の分解斜視図である。
【図６】図２の棟側枠部付近の断面図である。
【図７】図５の棟側枠部の分解斜視図である。
【図８】図５の棟側枠部を別の角度からみた斜視図である。
【図９】図５の棟側ガスケット部の説明図であり、（ａ）は棟側ガスケット部の断面斜視図であり、（ｂ）は（ａ）の断面をより詳細に示した断面図である。
【図１０】図５の軒先側枠部を別の方向からみた斜視図である。
【図１１】図５の軒先側枠部の分解斜視図である。
【図１２】図５の軒先側枠部の断面図である。
【図１３】図１０の軒側ガスケット部の説明図であり、（ａ）は軒側ガスケット部の断面斜視図であり、（ｂ）は軒側ガスケット部の断面図である。
【図１４】図５の左側枠部の断面図である。
【図１５】図５の右側枠部を別の角度からみた斜視図である。
【図１６】図５の右側枠部の断面図である。
【図１７】図１の太陽電池モジュールの差込金具付近の断面図である。
【図１８】図１の雪止め機能がない太陽電池モジュールの斜視図である。
【図１９】図１８の太陽電池モジュールの断面図である。
【図２０】図１８の軒先側枠部の分解斜視図である。
【図２１】図１の瓦部材の斜視図である。
【図２２】図１の軒先金具の説明図であり、（ａ）は軒先金具の斜視図であり、（ｂ）は（ａ）の断面図であり、（ｃ）は（ａ）とは別の角度でみた斜視図である。
【図２３】図１の中間取付金具の斜視図である。
【図２４】図１の基礎屋根構造を示す斜視図である。
【図２５】第１段目の太陽電池モジュールを軒先金具に固定する際の説明図であり、（ａ）は軒先金具に太陽電池モジュールを取り付ける状況を表す斜視図であり、（ｂ）は桁行方向に並設された瓦部材に近接させる状況を表す斜視図である。
【図２６】第１段目の太陽電池モジュールを軒先金具に固定する際の説明図であり、（ａ）は軒先金具に太陽電池モジュールを取り付ける状況を表す斜視図であり、（ｂ）は桁行方向に並設する太陽電池モジュールを近接させる状況を表す斜視図である。
【図２７】第１段目の太陽電池モジュールを軒先金具に固定する際の説明図であり、（ａ）は軒先金具に太陽電池モジュールを取り付けた状況を表す断面図であり、（ｂ）は桁行方向に並設する太陽電池モジュールを近接させた状況を表す断面図である。
【図２８】桁行方向に隣接する太陽電池モジュールを近接させる際の右側枠部と左側枠部の状況を表す断面斜視図である。
【図２９】第２段目の太陽電池モジュールを中間取付金具及び第１段目の太陽電池モジュールに固定する際の説明図であり、（ａ）は第２段目の太陽電池モジュールを第１段目の太陽電池モジュールと瓦部材とに跨って取り付ける状況を表す斜視図であり、（ｂ）は桁行方向に並設する太陽電池モジュールを近接させる状況を表す斜視図である。
【図３０】第２段目の太陽電池モジュールを瓦部材に取り付ける際の状況を表す断面図である。
【図３１】第２段目の太陽電池モジュールを第１段目の太陽電池モジュールに取り付ける際の状況を表す断面図である。
【図３２】第２段目の太陽電池モジュールを第１段目の太陽電池モジュールに固定する際の説明図であり、（ａ）は第１段目の太陽電池モジュールに第２段目の太陽電池モジュールを取り付ける状況を表す斜視図であり、（ｂ）は桁行方向に並設する太陽電池モジュールを近接させる状況を表す斜視図である。
【図３３】本発明の第１実施形態の屋根構造の太陽電池パネルを交換する際の説明図である。
【図３４】本発明の第１実施形態の屋根構造の位置調整機能の説明図であり、（ａ）は基礎屋根構造の傾斜角度が小さい場合を表し、（ｂ）は基礎屋根構造の傾斜角度が大きい場合を表す。
【図３５】本発明の第１実施形態の屋根構造の位置調整機能の説明図であり、（ａ）は基礎屋根構造の傾斜角度が小さい場合を表し、（ｂ）は基礎屋根構造の傾斜角度が大きい場合を表す。
【図３６】本発明の第１実施形態の屋根構造の雪止め機能の説明図である。
【図３７】本発明の第１実施形態の屋根構造の雨水の代表的な流れの説明図である。
【図３８】本発明の第２実施形態の屋根構造を表す斜視図である。
【図３９】図３８の雪止め機能付きの太陽電池モジュールの斜視図である。
【図４０】図３８の雪止め機能付きの太陽電池モジュールの平面図である。
【図４１】図３９の保持部材の分解斜視図である。
【図４２】図３８の棟側枠部付近の説明図であり、（ａ）は取付孔及び取付穴を通過する断面図であり、（ｂ）は固定孔及び固定穴を通過する断面図である。
【図４３】図４１の棟側枠部の分解斜視図である。
【図４４】図４１の棟側枠部を別の角度からみた斜視図である。
【図４５】図４１の軒先側枠部を別の方向からみた斜視図である。
【図４６】図４１の軒先側枠部の分解斜視図である。
【図４７】図４１の軒先側枠部の断面図である。
【図４８】図４１の左側枠部の断面図である。
【図４９】図４１の右側枠部の断面図である。
【図５０】図３８の雪止め機能がない太陽電池モジュールの斜視図である。
【図５１】図５０の太陽電池モジュールの軒先側枠部付近の断面図である。
【図５２】第１段目の太陽電池モジュールを軒先金具に固定する際の説明図であり、（ａ）は軒先金具に太陽電池モジュールを取り付ける状況を表す斜視図であり、（ｂ）は桁行方向に並設された瓦部材に近接させる状況を表す斜視図である。
【図５３】第１段目の太陽電池モジュールを軒先金具に固定する際の説明図であり、（ａ）は軒先金具に太陽電池モジュールを取り付ける状況を表す斜視図であり、（ｂ）は桁行方向に並設する太陽電池モジュールを近接させる状況を表す斜視図である。
【図５４】第１段目の太陽電池モジュールを軒先金具に取り付ける状況を表す断面図である。
【図５５】桁行方向に並設する太陽電池モジュールを近接させる状況を表す説明図であり、（ａ）は棟側枠部を近接させる状況を表す斜視図であり、（ｂ）は棟側枠部間を連結させた状況を表す斜視図である。
【図５６】第２段目の太陽電池モジュールを中間取付金具及び第１段目の太陽電池モジュールに固定する際の説明図であり、（ａ）は第２段目の太陽電池モジュールを第１段目の太陽電池モジュールと瓦部材とに跨って取り付ける状況を表す斜視図であり、（ｂ）は桁行方向に並設する太陽電池モジュールを近接させる状況を表す斜視図である。
【図５７】第２段目の太陽電池モジュールを瓦部材に取り付けた状況を表す断面図である。
【図５８】第２段目の太陽電池モジュールを第１段目の太陽電池モジュールに取り付けた状況を表す断面図である。
【図５９】第２段目の太陽電池モジュールを第１段目の太陽電池モジュールに固定する際の説明図であり、（ａ）は第１段目の太陽電池モジュールに第２段目の太陽電池モジュールを取り付ける状況を表す斜視図であり、（ｂ）は桁行方向に並設する太陽電池モジュールを近接させる状況を表す斜視図である。
【図６０】本発明の他の実施形態の軒先側枠部の斜視図である。
【図６１】本発明の他の実施形態の軒先側枠部の斜視図である。
【図６２】本発明の他の実施形態の屋根構造を設置する際の説明図であり、左側から太陽電池モジュールを敷設する場合の図であり、（ａ）は第２段目の太陽電池モジュールを第１段目の太陽電池モジュールと瓦部材とに跨って取り付ける状況を表す斜視図であり、（ｂ）は桁行方向に並設する太陽電池モジュールを近接させる状況を表す斜視図である。
【図６３】本発明の他の実施形態の軒先側枠部の断面図である。
【図６４】本発明の他の実施形態の軒先側枠部の説明図であり、（ａ）は分割片を組み立てた状態を表し、（ｂ）は分割片を分解し、使用済み太陽電池パネルを交換する際の状態を表す。
【発明を実施するための形態】
【００３４】
以下、本発明の実施形態について詳細に説明する。
【００３５】
本発明の第１実施形態の屋根構造１は、図１のように、基礎屋根構造３０４の屋根下地３０１に対して、複数の瓦部材３００と複数の太陽電池モジュール２が敷設されたものである。
本実施形態の屋根構造１は、主に積雪等が生じる寒冷地に好適に採用されるものであり、２種類の太陽電池モジュール２（２ａ，２ｂ）が混在したものである。すなわち、本実施形態の太陽電池モジュール２には、図３６に示されるように、太陽電池モジュール２上に積もった積雪２５０が軒棟方向に移動することを制限する雪止め機能を備えた雪止め機能付きの太陽電池モジュール２ａ（以下、第１太陽電池モジュール２ａともいう）と、雪止め機能がない太陽電池モジュール２ｂ（以下、第２太陽電池モジュール２ｂともいう）がある。
【００３６】
本実施形態の太陽電池モジュール２は、図１のように、太陽電池としての光電変換機能と瓦としての機能の双方を備えた瓦一体型太陽電池モジュールである。すなわち、太陽電池モジュール２は、瓦部材３００とともに、瓦として使用されるものである。
太陽電池モジュール２は、図２，図１８から読み取れるように、太陽電池パネル５と、保持部材６を備えている。
【００３７】
太陽電池パネル５は、光エネルギーを電気エネルギーに変換する光電変換装置である。
太陽電池パネル５は、図４（ａ）のように面状に広がりを持った板状パネルであり、正面側に受光面７を備えるものである。
太陽電池パネル５は、正面視したときに、縦方向Ｙに対向する横辺１０，１１をもった略多角形状である。本実施形態の太陽電池パネル５は、横長長方形状の太陽電池パネルであり、横方向Ｘに延びた横辺１０，１１と、縦方向Ｙに延びた縦辺１２，１３を備えている。
【００３８】
太陽電池パネル５は、いわゆる結晶型太陽電池パネルと称されるものであり、図４（ｂ）に示されるようにガラス板１９０と封止部材１９１との間に複数の太陽電池１９２が介在し、配線部材１９３によって太陽電池１９２，１９２間を電気的に直列及び／又は並列接続したものである。
【００３９】
保持部材６は、図１，図２，図１８から読み取れるように、太陽電池パネル５を保持する部材であって、太陽電池モジュール２全体を屋根下地３０１に対して取り付ける取付部材でもある。
本実施形態の保持部材６には、２種類の保持部材６ａ，６ｂが採用されており、図２に示される雪止め機能がある第１太陽電池モジュール２ａと、図１８に示される雪止め機能がない第２太陽電池モジュール２ｂとで若干構造が異なる。
【００４０】
第１太陽電池モジュール２ａは、図３のように太陽電池パネル５の受光面７を平面視したときに、太陽電池パネル５と重なる重畳部８と、太陽電池パネル５の４辺１０〜１３から張り出した張出部９ａ〜９ｃを備えている。
重畳部８は、太陽電池パネル５と厚み方向に重なる部位であり、受光面７を平面視したときに、太陽電池パネル５で隠れる部位である。
棟側張出部９ａ（軒棟側張出部）は、太陽電池パネル５の棟側辺１０（棟側の辺）から張り出した部位である。
軒先側張出部９ｂ（軒棟側張出部）は、太陽電池パネル５の軒先側辺１１（軒先側の辺）から張り出した部位である。
桁行側張出部９ｃは、太陽電池パネル５の左側辺１２から張り出した部位である。
【００４１】
第１太陽電池モジュール２ａの保持部材６ａは、図２，図５から読み取れるように、太陽電池パネル５の４辺１０〜１３に沿って延びる枠部１５〜１８と、差込金具２０，２１から構成されている。
【００４２】
棟側枠部１５は、図１のように屋根構造１を組み立てたときに、太陽電池パネル５の棟側辺１０（棟側の一辺）に沿って延びた長尺体であり、太陽電池パネル５の棟側辺１０を保持する部位である。
棟側枠部１５は、図７に示されるように、保持本体部２５と、導電部材２６を備えている。
【００４３】
保持本体部２５は、太陽電池パネル５の棟側端部を挿入可能な保持凹部３０を備えた部位であり、骨格部２７（フレーム部）と、棟側ガスケット部２８から構成されている。
骨格部２７は、太陽電池パネル５の棟側端部を保護する上フレームであり、導電体たる芯部材の表面に当該導電体よりも電気伝導率が低い保護層がコーティングされたものである。具体的には、骨格部２７は、アルミニウム製の引き抜き材の表面にアルマイト処理を行って形成されている。
【００４４】
骨格部２７は、図８のように、凹部形成部３１と、固定部３２を備えている。
凹部形成部３１は、図６のように、太陽電池パネル５の棟側端部と嵌合可能な保持凹部３０を形成する部位である。凹部形成部３１は、断面視略「コ」字状であり、正面側壁部３５と、接続壁部３６と、裏面側壁部３７によって保持凹部３０を形成している。
保持凹部３０は、図７のように、太陽電池パネル５の棟側辺１０に沿って延びた凹状の部位であり、太陽電池パネル５を保持する部位である。
正面側壁部３５は、図６のように太陽電池パネル５の正面側を覆う壁部である。
接続壁部３６は、図６に示されるように、正面側壁部３５と裏面側壁部３７を接続する壁部である。接続壁部３６は、裏面側壁部３７の棟側端部から太陽電池パネル５の受光面７に対して直交する方向に立設されており、その立設方向の中間部に正面側壁部３５の棟側端部が接続されている。すなわち、接続壁部３６は、正面側壁部３５から上方に向かって突出した突出壁部３８を形成している。
裏面側壁部３７は、太陽電池パネル５の裏面側を覆う壁部である。
裏面側壁部３７は、接続壁部３６から正面側壁部３５と同一方向に延設され、正面側壁部３５と厚み方向に所定の間隔を空けて対面するように配されている。
【００４５】
固定部３２は、図６のように、断面形状が「Ｌ」字状の部位であり、固定板部４０と、立壁部４１を備えている。
固定板部４０は、図８のように、接続壁部３６から棟側に張り出し、横方向Ｘに延びる板状の部位である。
固定板部４０は、その長手方向に所定の間隔を空けて複数の固定孔４４が並設されている。
固定孔４４は、図２７（ａ）に示すように、締結要素３９によって屋根下地３０１の瓦棒３０７に対して固定するための孔である。固定孔４４は、固定板部４０の部材厚方向に貫通した貫通孔であり、締結要素３９を挿通可能となっている。
締結要素３９は、公知の締結要素であり、本実施形態では、釘である。
なお、この明細書中の「締結要素」とは、ネジ、釘、鋲等の上位概念である。
【００４６】
立壁部４１は、図８のように固定板部４０の棟側端部から下方に向かって立設された壁部であり、横方向Ｘに延びた長板状の部位である。
立壁部４１は、図６，図７のように、その長手方向（横方向Ｘ）に所定の間隔を空けて複数の取付穴４２が並設されている。
取付穴４２は、締結要素４３によって導電部材２６を取り付けるための穴であり締結要素４３と係合可能な係合穴である。
取付穴４２は、棟側の面から部材厚方向に深さをもった有底穴又は貫通孔である。
締結要素４３は、公知の締結要素であり、本実施形態では、ネジである。
【００４７】
棟側ガスケット部２８は、図６のように、太陽電池パネル５と保持凹部３０との間に介在して、太陽電池パネル５と保持凹部３０の間の隙間を塞ぐものである。すなわち、棟側ガスケット部２８は、太陽電池パネル５の棟側端部と直接接触し、骨格部２７に対して太陽電池パネル５の位置ズレや抜け落ちを防止するものである。
【００４８】
棟側ガスケット部２８は、弾性を有した緩衝材で形成されており、太陽電池モジュール２を組み立てる際に、太陽電池パネル５の保持凹部３０への挿入方向の押圧力を自己が弾性変形することで緩和又は吸収することが可能となっている。
棟側ガスケット部２８は、図９（ａ）のように、横方向Ｘに延びた長尺体である。
棟側ガスケット部２８は、図９（ｂ）のように、材質が異なる複数のガスケット部４５，４６が一体成形された一体成形物である。
本実施形態では、棟側ガスケット部２８は、硬さの異なる２種類のガスケット部４５，４６が押出成形によって成形されている。
すなわち、棟側ガスケット部２８は、図９（ｂ）のように、硬質ガスケット部４５と、硬質ガスケット部４５よりも軟質の軟質ガスケット部４６から構成されており、これらが直接固着され不可分一体となっている。
【００４９】
硬質ガスケット部４５は、図９から読み取れるように、断面形状が「コ」字状の長尺体であり、正面側緩衝部４８と、端面側緩衝部４９と、裏面側緩衝部５０を備えている。
正面側緩衝部４８は、図６，図９（ｂ）から読み取れるように、太陽電池パネル５の正面の一部と、正面側壁部３５との間に介在される部位であり、内側面に抜け落防止用のリブ５１が形成されている。
リブ５１は、図９（ａ）のように横方向Ｘに延びた凸条片であり、太陽電池パネル５の縦方向のずれを防止可能となっている。
端面側緩衝部４９は、太陽電池パネル５の端面と、接続壁部３６との間に介在される部位であり、その棟側の面が軟質ガスケット部４６と固着されている。
端面側緩衝部４９は、その上端部（正面側端部）が正面側緩衝部４８の棟側端部と接続されており、その下端部（裏面側端部）が裏面側緩衝部５０の棟側端部と接続されている。
裏面側緩衝部５０は、正面側緩衝部４８に対して、太陽電池パネル５を挟んで対向する部位であり、太陽電池パネル５の裏面の一部と、裏面側壁部３７の間に介在される部位である。
裏面側緩衝部５０は、正面側緩衝部４８と同様、内側面に抜け落ち防止用のリブ５２が形成されている。
リブ５２は、リブ５１と対をなし、横方向に延びた凸条片であり、太陽電池パネル５の縦方向のずれを防止可能となっている。
【００５０】
硬質ガスケット部４５のショアＡ硬度は、６０以上であることが好ましく、８０以上であることがより好ましい。
この範囲であれば、柔らかすぎず、適度に太陽電池パネル５をしっかりと保持できる。
硬質ガスケット部４５のショアＡ硬度は、１００以下であることが好ましく、８７以下であることがより好ましい。
この範囲であれば、硬すぎず、太陽電池パネル５が破損しにくい。
本明細書でいう「ショアＡ硬度」とは、ＡＳＴＭ  Ｄ  ２２４０に準ずるタイプＡのショア硬度をいう。
【００５１】
軟質ガスケット部４６は、硬質ガスケット部４５の端面側緩衝部４９と、骨格部２７の接続壁部３６との間に介在する部位であり、硬質ガスケット部４５の硬さよりも柔らかいガスケットである。
軟質ガスケット部４６は、図９（ｂ）に示されるように、断面形状が環状の中空体であり、その中央に緩衝空間５３が形成されている。
緩衝空間５３は、太陽電池モジュール２を組み立てる際に、棟側ガスケット部２８に加わる圧力を緩衝する空間であり、横方向Ｘ（太陽電池パネル５の棟側辺の延び方向）に延びた空間である。
【００５２】
軟質ガスケット部４６のショアＡ硬度は、上記したように硬質ガスケット部４５のショアＡ硬度よりも柔らかく、６０以下であることが好ましく、６０未満であることがより好ましい。
この範囲であれば、硬すぎず、緩衝効果が高い。
軟質ガスケット部４６のショアＡ硬度は、４０以上であることが好ましい。
この範囲であれば、柔らかすぎず、潰れずに形状を維持できる。
【００５３】
導電部材２６は、図８のように、保持本体部２５に対して取り付けられる部材であり、屋根構造１を組み立てたときに、アースに逃がすための太陽電池モジュール２，２間の導電経路を形成する部材である。
導電部材２６は、横長長方形状の金属板を「Ｌ」字状に折り曲げられて形成されるものであり、保持本体部２５と接続する接続部５５と、接続部５５の端部から折り曲げられた係合部５６（第２係合部）を備えている。
【００５４】
接続部５５は、図７のように骨格部２７の立壁部４１に接続される部位であり、締結要素４３を挿通可能な挿通孔５７を複数備えている。
挿通孔５７は、接続部５５の厚み方向に貫通した貫通孔であり、横方向Ｘに所定の間隔を空けて並設されている。
締結要素４３は、公知の締結要素であり、本実施形態では、ネジである。
【００５５】
係合部５６（第２導電部）は、屋根構造１を組み立てたときに、棟側に隣接する太陽電池モジュール２の軒先側枠部１６の一部と係合する係合片であり、棟側に隣接する太陽電池モジュール２の吹き上げを係止する係止片である。
係合部５６は、棟側に隣接する太陽電池モジュール２の軒先側枠部１６と接触して電気的に接続する導電部でもある。
係合部５６の接続部５５からの張出長さは、太陽電池パネル５の縦辺１２，１３の３％以上２１％以下であることが好ましい。
【００５６】
ここで、棟側枠部１５の各構成部位の位置関係について説明する。
【００５７】
導電部材２６は、図６，図７から読み取れるように、締結要素４３によって保持本体部２５と一体となっている。すなわち、導電部材２６の接続部５５は、保持本体部２５の立壁部４１と縦方向Ｙに重なっており、接続部５５の挿通孔５７は、立壁部４１の取付穴４２と連通孔を形成している。そして、棟側枠部１５は、当該連通孔に導電性を持つ締結要素４３が挿入されている。
導電部材２６の係合部５６は、保持本体部２５の固定板部４０に対して上方に位置しており、段差を形成している。すなわち、導電部材２６の係合部５６は、導電部材２６の接続部５５の一部を介して保持本体部２５の固定板部４０と段状に連続している。
また導電部材２６の係合部５６は、導電部材２６の接続部５５によって、片持ち状に支持されている。
【００５８】
棟側ガスケット部２８は、図６のように、保持本体部２５の保持凹部３０の内壁に沿って取り付けられている。
具体的には、硬質ガスケット部４５の正面側緩衝部４８は、図６，図９から読み取れるように、骨格部２７の正面側壁部３５と対面して面接触しており、裏面側緩衝部５０は、骨格部２７の裏面側壁部３７と対面して面接触している。正面側緩衝部４８と裏面側緩衝部５０は、所定の間隔を空けて対面しており、正面側緩衝部４８のリブ５１は、当該間隔を介して裏面側緩衝部５０のリブ５２と対向している。
軟質ガスケット部４６は、硬質ガスケット部４５の端面側緩衝部４９と骨格部２７の裏面側壁部３７との間に位置し、骨格部２７の裏面側壁部３７と対面して面接触している。
【００５９】
続いて、軒先側枠部１６について説明する。
【００６０】
軒先側枠部１６は、図１のように屋根構造１を組み立てたときに、太陽電池パネル５の軒先側端部を保持する部位である。
軒先側枠部１６は、図３のように太陽電池パネル５の軒先側辺１１に沿って延びた長尺体であり、図１０のように、太陽電池パネル５の軒先側端部を挿入可能な保持凹部６０を備えている。また、軒先側枠部１６は、図１１のように保持凹部６０が複数の分割片２２，２３に分割可能である。
【００６１】
軒先側枠部１６は、図１２に示されるように、第１骨格部６１と、第２骨格部６２と、軒先側ガスケット部６３を備えている。
【００６２】
第１骨格部６１は、第２骨格部６２とともに、太陽電池パネル５の軒先側端部を保護する下フレームを構成する部位である。
第１骨格部６１は、図１２のように第１凹部形成部６５と、雪止め部６６を備えている。
第１凹部形成部６５は、図１０に示されるように、太陽電池パネル５の軒先側端部と嵌合可能な保持凹部６０の一部を構成する部位であり、太陽電池パネル５の軒先側辺１１に沿って延びた長尺の部位である。
第１凹部形成部６５は、断面形状が略「Ｌ」字状であり、正面側壁部６７と、端面側壁部６８から構成されている。
正面側壁部６７は、太陽電池パネル５の正面側を覆う壁部である。正面側壁部６７は、図１２のように、端面側壁部６８から縦方向Ｙに延びており、その延び方向の中間部に第１凹溝６９を備えている。
【００６３】
第１凹溝６９は、図１０，図１２から読み取れるように、軒先側ガスケット部６３の第１ガスケット部１００の一部と噛み合う噛合部であり、具体的には、底部をもち、正面側壁部６７の厚み方向に深さをもった有底溝である。
第１凹溝６９は、開口形状が直線上であって、横方向Ｘ全体に亘って形成されている。また第１凹溝６９は、断面形状が「Ｔ」字状であり、正面側壁部６７の厚み方向に深さを持った第１溝形成部７２と、第１溝形成部７２の深さ方向の端部から正面側壁部６７の厚み方向に対して交差する方向に深さを持った第２溝形成部７３，７４を備えている。
【００６４】
第１凹溝６９の延び方向の長さは、軒先側辺１１の１／３以上であることが好ましく、２／３以上であることがより好ましく、３／４であることがさらに好ましい。
【００６５】
端面側壁部６８は、太陽電池パネル５の端面側を覆う壁部である。
端面側壁部６８は、その上端部が正面側壁部６７及び雪止め部６６と接続されており、その下端部が第２骨格部６２との接続部となっている。
【００６６】
雪止め部６６は、屋根構造１を組み立てたときに、軒棟方向の積雪の移動を規制する部位であり、第１凹部形成部６５から上方に突出した雪止め片である。すなわち、雪止め部６６は、図１０のように、外形形状がある程度厚みを持つ長板状であり、屋根構造１を組み立てたときに、正面側壁部６７から太陽電池パネル５の受光面７に対して直交する方向に突出した凸条片である。
また、雪止め部６６は、図１１に示されるように、横方向Ｘに延びており、延び方向の両端部及び中間部に切り欠き部５８，５９，６４が形成されている。
【００６７】
切り欠き部５８，５９，６４は、雨水等の水抜き用の切り欠きであり、太陽電池パネル５上を通過する水を軒先側に流す通水口である。切り欠き部５８，５９，６４は、図１１のように、横方向Ｘに幅を持ち、雪止め部６６の突出方向の先端側から基端側に向かって深さをもつ切り欠きである。
切り欠き部５８は、図３７に示されるように、雪止め部６６の長手方向（横方向Ｘ）の一方の端部に位置し、屋根構造１を組み立てたときに桁行方向に隣接する他の太陽電池モジュール２の切り欠き部５９とともに一つの通水路９７を形成するものである。
切り欠き部５９は、雪止め部６６の長手方向（横方向Ｘ）の他方の端部に位置し、屋根構造１を組み立てたときに桁行方向に隣接する他の太陽電池モジュール２の切り欠き部５８とともに一つの通水路９７を形成するものである。
切り欠き部６４は、雪止め部６６の長手方向（横方向Ｘ）の中央に位置する切り欠きである。
【００６８】
また、第１骨格部６１は、雪止め部６６及び端面側壁部６８に跨って延びた挿通孔７１を備えている。挿通孔７１は、図１１のように、一時締結要素７０を挿通可能な孔であって、雪止め部６６の張出方向に貫通した貫通孔である。
一時締結要素７０は、公知の一時締結要素であり、本実施形態ではネジである。
この明細書中の「一時締結要素」とは、締結要素の一種であって、締結及びその解除が可能である締結要素をいい、例えば、ネジや、ボルトとナットの組み合わせなどの上位概念をいう。
【００６９】
第２骨格部６２は、図１０，図１２から読み取れるように、第２凹部形成部７５と、カバー部７６と、固定部７７を備えている。
【００７０】
第２凹部形成部７５は、第１骨格部６１の第１凹部形成部６５とともに、太陽電池パネル５の軒先側端部と嵌合可能な保持凹部６０を構成する部位であり、太陽電池パネル５の軒先側辺１１に沿って延びた長尺状の部材である。
第２凹部形成部７５は、横方向Ｘに延びた長板状の部位であって、裏面側壁部７８を備えている。
裏面側壁部７８は、太陽電池パネル５の裏面側を覆う壁部である。裏面側壁部７８は、カバー部７６から縦方向Ｙに延びており、その延び方向の中間部に第２凹溝７９を備えている。
【００７１】
第２凹溝７９は、図１２のように、軒先側ガスケット部６３の第２ガスケット部１０１の一部と噛み合う噛合部であり、具体的には、底部をもち、裏面側壁部７８の厚み方向に深さをもった有底溝である。
第２凹溝７９は、開口形状が直線上であって、横方向Ｘ全体に亘って形成されている。また第２凹溝７９は、断面形状が「Ｔ」字状であり、裏面側壁部７８の厚み方向に深さを持った第１溝形成部８３と、第１溝形成部８３の深さ方向の端部から裏面側壁部７８の厚み方向に対して交差する方向に深さを持った第２溝形成部８４，８５を備えている。
【００７２】
第２凹溝７９の延び方向の長さは、軒先側辺１１の１／３以上であることが好ましく、２／３以上であることがより好ましく、３／４であることがさらに好ましい。
【００７３】
カバー部７６は、屋根構造１を組み立てたときに、第１骨格部６１の雪止め部６６及び端面側壁部６８とともに太陽電池モジュール２ａの外観を構成する部位である。すなわち、カバー部７６は、雪止め部６６及び端面側壁部６８とともにフロントカバーとして機能する部位である。
【００７４】
カバー部７６は、図１２のように、裏面側壁部７８の軒先側端部から下方に向かって立ち上がった壁部である。
カバー部７６は、接続部８０と、接続部８０から下方に向けて直立した直立壁部８７と、直立壁部８７の下端部から所定の角度で傾斜した傾斜壁部８８から構成されている。
【００７５】
接続部８０は、図１２のように、第１骨格部６１の端面側壁部６８と接続する部位であり、裏面側壁部７８の軒先側端部から連続して軒先側に張り出した部位である。
接続部８０は、張出方向に対して直交方向に一時締結要素７０と締結可能な締結受け部８２を備えている。
締結受け部８２は、一時締結要素７０と締結可能な締結穴であり、上面から部材厚方向に延びた有底穴である。
【００７６】
固定部７７は、図１０のように、間隔維持壁部９０と、係合部９１（軒先側係合片）を備えている。
間隔維持壁部９０は、縦方向Ｙにおいて、第２凹部形成部７５と係合部９１との間隔を維持する部位である。
間隔維持壁部９０は、板状の壁部であり、壁部９５を介して裏面側壁部７８と段状に連続している。
また、間隔維持壁部９０の下面には、横方向Ｘに延びたリブ９２が形成されており、当該リブ９２によって横方向Ｘの剛性が補強されている。
【００７７】
係合部９１は、図２７のように軒先金具３０２と係合可能な係合片であり、断面形状が「Ｌ」字状の部位である。係合部９１は、立壁部９３と、係止壁部９４を備えている。
立壁部９３は、間隔維持壁部９０と係止壁部９４を接続する壁部であり、間隔維持壁部９０と係止壁部９４は、立壁部９３を介して段状に連続している。
【００７８】
骨格部６１，６２は、棟側枠部１５の骨格部２７と同様、導電体たる芯部材の表面に当該導電体よりも電気伝導率が低い保護層がコーティングされたものであり、具体的には、アルミニウム製の引き抜き材の表面にアルマイト処理を行って形成されている。
【００７９】
軒先側ガスケット部６３は、図１２のように、太陽電池パネル５と保持凹部６０との間に介在して太陽電池パネル５と保持凹部６０の間の隙間を塞ぐものである。すなわち、軒先側ガスケット部６３は、太陽電池パネル５の端部と直接接触して骨格部６１，６２に対して太陽電池パネル５の位置ズレや抜け落ちを防止するものである。
軒先側ガスケット部６３は、弾性を有した緩衝材で形成されている。
軒先側ガスケット部６３は、図１３（ａ）のように横方向Ｘに連続的又は間欠的に延びた長尺体であり、図１３（ｂ）のように断面形状が「コ」字状をしている。
【００８０】
軒先側ガスケット部６３は、図１３（ｂ）のように第１ガスケット部１００と、第２ガスケット部１０１を備えている。
第１ガスケット部１００は、図１１のように、第１骨格部６１とともに第１分割片２２を構成する部位であり、断面形状が「Ｌ」字状の部位である。
第１ガスケット部１００は、図１３のように正面側緩衝部１０２と、端面側緩衝部１０３を備えている。
正面側緩衝部１０２は、太陽電池パネル５の正面の一部と、正面側壁部６７との間に介在される部位であり、図１３（ｂ）のように、本体部１０５と、折り返し部１０６と、第１凸条部１０７と、スリット１０８と、リブ１０９を備えている。
【００８１】
本体部１０５は、縦方向Ｙに幅をもち、横方向Ｘに延びた長板状の部位である。
折り返し部１０６は、図１３，図１２から読み取れるように、本体部１０５の短手方向（縦方向Ｙ）の端部から折り返された部位であり、第１骨格部６１の正面側壁部６７の端部に被覆可能となっている。
第１凸条部１０７は、図１２のように、第１骨格部６１の正面側壁部６７の第１凹溝６９と対をなす部位であり、太陽電池パネル５を基準として本体部１０５から外側に突出した部位である。
【００８２】
第１凸条部１０７は、図１２のように、突出本体１１０と、係止部１１１，１１２を備えている。
突出本体１１０は、本体部１０５から上方に向けて突出した壁部であり、第１凸条部１０７の骨格をなす部分である。
係止部１１１，１１２は、突出本体１１０の本体部１０５からの突出方向の先端から縦方向Ｙに張り出した係止片である。係止部１１１，１１２は、突出本体１１０を挟んで互いに離反する方向に張り出している。
係止部１１１，１１２は、第１骨格部６１の第１凹溝６９の第２溝形成部７３，７４と係合可能となっている。
【００８３】
第１凸条部１０７の延び方向の長さは、軒先側辺１１の長さの１／３以上であることが好ましく、２／３以上であることがより好ましく、３／４であることがさらに好ましい。
【００８４】
スリット１０８は、図１３のように、横方向Ｘに延び、本体部１０５の厚み方向の深さを持ったスリットである。すなわち、本体部１０５は、スリット１０８によってその一部が切り欠かれており、肉厚部と肉薄部が形成されており、自己の材質による弾性に加えて、スリット１０８によっても弾性を付加されている。
【００８５】
リブ１０９は、太陽電池パネル５の正面に接触して太陽電池パネル５の抜け落ちを防止する凸条片である。
リブ１０９は、本体部１０５のスリット１０８に対して反対面に形成されている。
【００８６】
端面側緩衝部１０３は、太陽電池パネル５の軒先側端面の一部と、端面側壁部６８との間に介在される部位である。
【００８７】
第２ガスケット部１０１は、図１１のように、第２骨格部６２とともに第２分割片２３を構成する対をなす部位であり、裏面側緩衝部１１５を備えている。
裏面側緩衝部１１５は、図１３，図１２から読み取れるように、太陽電池パネル５の裏面の一部と、裏面側壁部７８との間に介在される部位であり、本体部１１６と、第２凸条部１１７と、スリット１１８と、リブ１１９を備えている。
【００８８】
本体部１１６は、縦方向Ｙに幅をもち、横方向Ｘに延びた長板状の部位である。
第２凸条部１１７は、第２骨格部６２の裏面側壁部７８の第２凹溝７９と対をなす部位であり、太陽電池パネル５を基準として本体部１１６から外側に突出した部位である。
第２凸条部１１７は、図１２のように、突出本体１２０と、係止部１２１，１２２を備えている。
突出本体１２０は、本体部１１６から下方に向けて突出した壁部であり、第２凸条部１１７の骨格をなす部分である。
係止部１２１，１２２は、突出本体１２０の本体部１１６からの突出方向の先端から縦方向に張り出した係止片である。係止部１２１，１２２は、突出本体１２０を挟んで互いに離反する方向に張り出している。
係止部１２１，１２２は、第２骨格部６２の第２凹溝７９の第２溝形成部８４，８５と係合可能となっている。
【００８９】
第２凸条部１１７の延び方向の長さは、軒先側辺１１の長さの１／３以上であることが好ましく、２／３以上であることがより好ましく、３／４であることがさらに好ましい。
【００９０】
スリット１１８は、図１３のように、横方向Ｘに延び、本体部１１６の厚み方向の深さを持ったスリットである。すなわち、本体部１１６は、スリット１１８によってその一部が切り欠かれており、肉厚部と肉薄部が形成されており、自己の材質による弾性に加えて、スリット１１８によっても弾性を付加されている。
【００９１】
リブ１１９は、太陽電池パネル５の正面に接触して太陽電池パネル５の抜け落ちを防止する凸条片である。
リブ１１９は、本体部１１６のスリット１１８に対して反対面に形成されている。
【００９２】
ここで、軒先側枠部１６の各構成部位の位置関係について説明する。
【００９３】
第１骨格部６１は、図１１から読み取れるように、一時締結要素７０によって第２骨格部６２と一体となっており、一時締結要素７０を取り外すことによって第２骨格部６２に対して着脱可能となっている。すなわち、第１骨格部６１の雪止め部６６及び端面側壁部６８は、第２骨格部６２の接続部８０と厚み方向に重なっており、雪止め部６６の挿通孔７１は、図１２のように、接続部８０の締結受け部８２と連通孔を形成している。そして、軒先側枠部１６は、当該連通孔に一時締結要素７０を挿入されている。
太陽電池パネル５を基準として接続部８０の外側面（軒先側の端面）は、雪止め部６６及び端面側壁部６８の外側面（軒先側の端面）と同一平面を形成し、面一となっている。
【００９４】
第１骨格部６１の第１凹部形成部６５と第２骨格部６２の第２凹部形成部７５は、連なっており、保持凹部６０を形成している。
軒先側ガスケット部６３は、骨格部６１，６２によって形成された保持凹部６０の内壁に沿って取り付けられている。
第１ガスケット部１００は、第１骨格部６１と一体となって第１分割片２２を形成しており、第２ガスケット部１０１は、第２骨格部６２と一体となって第２分割片２３を形成している。
第１ガスケット部１００の正面側緩衝部１０２の第１凸条部１０７は、図１２のように、第１骨格部６１の正面側壁部６７の第１凹溝６９に挿入されている。
具体的には、突出本体１１０は、図１２のように、第１溝形成部７２内に位置しており、係止部１１１，１１２は、第２溝形成部７３，７４内に位置している。係止部１１１，１１２は、第２溝形成部７３，７４の内壁と係合しており、第１ガスケット部１００が第１骨格部６１から離反することを防止されている。
第１ガスケット部１００の正面側緩衝部１０２は、第１骨格部６１の正面側壁部６７と対面して面接触しており、端面側緩衝部１０３は、第１骨格部６１の端面側壁部６８と対面して面接触している。第１ガスケット部１００の折り返し部１０６は、正面側壁部６７の端面を巻きこんで覆っている。
【００９５】
第２ガスケット部１０１の裏面側緩衝部１１５の第２凸条部１１７は、図１２のように第２骨格部６２の裏面側壁部７８の第２凹溝７９に挿入されている。
具体的には、突出本体１２０は、図１２のように第１溝形成部８３内に位置しており、係止部１２１，１２２は、第２溝形成部８４，８５内に位置している。係止部１２１，１２２は、第２溝形成部８４，８５の内壁と係合しており、第２ガスケット部１０１が第２骨格部６２から離反することを防止されている。
第２ガスケット部１０１の裏面側緩衝部１１５は、第２骨格部６２の裏面側壁部７８と対面して面接触している。裏面側緩衝部１１５の一部は、壁部９５から張り出している。
第２ガスケット部１０１の裏面側緩衝部１１５は、所定の間隔を空けて第１ガスケット部１００の正面側緩衝部１０２と対面しており、当該間隔内に太陽電池パネル５の後端部を挿入可能となっている。また、裏面側緩衝部１１５のリブ１１９は、正面側緩衝部１０２のリブ９２と対向している。
【００９６】
左側枠部１７は、図３のように、太陽電池パネル５の左辺１２に沿った左フレームであり、太陽電池パネル５の裏面を支持する部材である。また、左側枠部１７は、図５から読み取れるように、棟側枠部１５と軒先側枠部１６を連結する部材でもある。
左側枠部１７は、導電体たる芯部材の表面に当該導電体よりも電気伝導率が低い保護層がコーティングされたものであり、具体的には、アルミニウム製の引き抜き材の表面にアルマイト処理を行って形成されている。
左側枠部１７は、図１４のように、骨格部１３０と、流路形成部１３１を備えている。
骨格部１３０は、太陽電池パネル５の裏面を載置する部位であり、図５のように、縦方向Ｙに延びた棒状の部位である。
骨格部１３０は、図１４のように、本体部１４０と、本体部１４０の上端部から左側に張り出した閉塞部１４１を備えている。
本体部１４０は、外形形状が四角形状の棒状体であり、その内部が中空となっている。
閉塞部１４１は、本体部１４０の天面（上面）から張り出した板状の部位であり、屋根構造１を組み立てたときに、他の太陽電池モジュール２とともに流路１３５を閉塞する部位である。
【００９７】
また、骨格部１３０は、図５のように長手方向の一方の端部に棟側枠部１５と接続可能な棟側接続部１３２を備えており、長手方向の他方の端部に軒先側枠部１６と接続可能な軒先側接続部１３３を備えている。骨格部１３０は、長手方向の中間部に差込金具２０を取り付け可能な取付部１３９を備えている。
【００９８】
流路形成部１３１は、骨格部１３０から左側に張り出した部位であり、屋根構造１を組み立てたときに、太陽電池モジュール２上を流下する雨水等を軒先側及び／又は屋根下地３０１側に逃がす雨樋を形成する部位である。すなわち、流路形成部１３１は、太陽電池パネル５を基準として、骨格部１３０の外側面とともに雨水等が通過可能な流路１３５を形成する部位である。
また流路形成部１３１は、屋根構造１を組み立てたときに、他の太陽電池モジュール２の右側枠部１８と電気的に接続する部位でもある。
流路形成部１３１は、図１４のように、断面形状が「Ｌ」字状であり、底面形成部１３６（延伸部）と、側壁形成部１３７（立上部）を備えている。
底面形成部１３６は、骨格部１３０の本体部１４０の下端部と接続されて骨格部１３０の本体部１４０の底面と連続した部位である。また底面形成部１３６は、本体部１４０の横方向Ｘの外側面から延伸した延伸部であって、流路１３５の底部を構成する部位である。
【００９９】
側壁形成部１３７は、底面形成部１３６の張出方向の端部（左側端部）から立ち上がった立上片であって、流路１３５の側壁を構成する部位である。
側壁形成部１３７は、底面形成部１３６からの立ち上がり方向の先端部に導電部１３８（第４導電部，張出側導電部）が取り付けられている。
導電部１３８は、導電体で形成され、他の太陽電池モジュール２の右側枠部１８の導電部１５０と電気的な接点となる部位である。導電部１３８は、側壁形成部１３７の先端部を構成し、鋭利に尖った剣先状となっている。すなわち、導電部１３８は、右側枠部１８の導電部１５０に当接して点接触可能となっている。導電部１３８は、側壁形成部１３７と別部材であって、側壁形成部１３７の先端面に接着されている。
【０１００】
右側枠部１８は、図３のように太陽電池パネル５の右辺１３に沿った右フレームであり、図５のように棟側枠部１５と軒先側枠部１６を連結する部材である。
右側枠部１８は、図５，図１５から読み取れるように、太陽電池パネル５の裏面を支持する部位であり、縦方向Ｙに延びた棒状の部位である。
右側枠部１８は、導電体たる芯部材の表面に当該導電体よりも電気伝導率が低い保護層がコーティングされたものであり、具体的には、アルミニウム製の引き抜き材の表面にアルマイト処理を行って形成されている。
右側枠部１８は、図１５のように、骨格部１４５と、閉塞部１４６を備えている。
骨格部１４５は、外形形状が四角形状の棒状体であり、その内部が中空となっている。
骨格部１４５は、図５のように、長手方向の一方の端部に棟側枠部１５と接続可能な棟側接続部１４７を備えており、長手方向の他方の端部に軒先側枠部１６と接続可能な軒先側接続部１４８を備えている。
骨格部１４５は、長手方向の中間部に差込金具２１を取り付け可能な取付部１４９を備えている。また、骨格部１４５は、図１５のように、その底面に芯部材が保護層から露出した導電部１５０（第３導電部，重畳側導電部）を備えている。
導電部１５０は、桁行方向に隣接する太陽電池モジュール２の左側枠部１７の導電部１３８と電気的に接続可能な部位である。導電部１５０は、図１６のように複数の凸部１５１が形成された凹凸状の部位である。
凸部１５１は、断面形状が三角形状であって縦方向に延びた突条であり、突出方向の先端が尖っている。
【０１０１】
閉塞部１４６は、他の太陽電池モジュール２の左側枠部１７の流路形成部１３１で形成された流路１３５を閉塞する部位である。閉塞部１４６は、骨格部１４５の外側面から右側に張り出した張出部であって、流路１３５を被覆する部位である。
【０１０２】
差込金具２０，２１は、屋根構造１を組み立てたときに軒先側の太陽電池モジュール２の導電部材２６を差し込んだ状態で係合し、電気的に接続する部位である。
差込金具２０，２１は、図５のように差込部１６０，１６１と、補強桟１６２，１６３を備えている。
差込部１６０，１６１は、図１７のように、断面形状が略「コ」字状であり、裏面配置部１６５と、空間形成部１６６と、係止片１６７（第１係合部）を備えている。
裏面配置部１６５は、太陽電池パネル５の裏面側に配置される部位であって、太陽電池パネル５の裏面を支持する裏面支持部でもある。
空間形成部１６６は、図１７のように裏面配置部１６５と係止片１６７を所定の間隔を空けて離間させて、裏面配置部１６５と係止片１６７に挟まれた空間１７０を形成する部位である。
空間形成部１６６の上端部には、裏面配置部１６５が接続されており、下端部には、係止片１６７が接続されている。
空間１７０は、屋根構造１を組み立てたときに、軒棟方向に深さがあり、軒先側の太陽電池モジュール２の棟側枠部１５の導電部材２６の係合部５６を挿入可能な空間である。
【０１０３】
係止片１６７は、軒先側の太陽電池モジュール２の棟側枠部１５の導電部材２６の係合部５６と係合可能な部位であり、裏面配置部１６５と空間１７０を挟んで対向する部位である。
係止片１６７は、本体板部１７１（対面部）と、折り返し部１７２（第１導電部，重畳側導電部）を備えている。
本体板部１７１は、裏面配置部１６５に対して間隔を空けて対面する対面部であって、空間形成部１６６から立設された板状の部位である。
本体板部１７１の長さ（縦方向の長さ）は、太陽電池モジュール２全体の縦辺１２又は縦辺１３の長さの１／３以上１／２以下であることが好ましい。
【０１０４】
折り返し部１７２は、本体板部１７１の軒先側端部から太陽電池パネル５側に折り返された部位である。
折り返し部１７２は、屋根構造１を組み立てたときに、軒先側の太陽電池モジュール２の導電部材２６を押圧する押圧部であり、太陽電池モジュール２の導電部材２６との電気的な接点となる導電部でもある。
折り返し部１７２は、係止片１６７に弾性を持たせる部位であり、本体板部１７１とでなす角が鋭角に折り曲げられており、その先端部分近傍が導電部材２６と接触可能となっている。すなわち、本体板部１７１と折り返し部１７２は、太陽電池パネル５を平面視したときに、重なり部分を持ち、当該重なり部分では、本体板部１７１と折り返し部１７２の間に隙間が形成されている。
【０１０５】
差込部１６０，１６１は、図５，図１７から読み取れるように、横方向の外側端部に枠部１７，１８の骨格部１３０，１４５と接続可能な接続部１７５，１７６を備えている。
【０１０６】
補強桟１６２，１６３は、図５に示されるように、軒先側枠部１６と差込部１６０，１６１を接続し太陽電池パネル５の剛性を補強する補強桟であり、屋根構造１を組み立て、強風等による吹き上げ力が差込部１６０，１６１に加わったときに差込部１６０，１６１を保持する部位である。
補強桟１６２，１６３は、縦方向Ｙに延びた長板状の部位であり、長手方向（縦方向Ｙ）の一方の端部に軒先側枠部１６と接続可能な軒先側接続部１７８，１７９を備えており、長手方向の他方の端部に差込部１６０，１６１と接続可能な差込側接続部１８０，１８１を備えている。
【０１０７】
続いて、第１太陽電池モジュール２ａの各構成部材の位置関係について説明する。
【０１０８】
太陽電池パネル５は、図３のように、保持部材６ａに保持されており、受光面７は、保持部材６から露出している。
具体的には、太陽電池パネル５の棟側端部は、図６のように棟側枠部１５の保持凹部３０に挿入されており、太陽電池パネル５の軒先側端部は、図１２のように軒先側枠部１６の保持凹部６０に挿入されている。
太陽電池パネル５の左側端部の近傍は、左側枠部１７の本体部１４０上に載置されており、太陽電池パネル５の右側端部の近傍は、右側枠部１８の骨格部１４５及び閉塞部１４６上に載置されている。
【０１０９】
また、棟側枠部１５は、保持本体部２５が重畳部８と棟側張出部９ａに跨っており、導電部材２６が棟側張出部９ａに位置している。
軒先側枠部１６は、重畳部８と軒先側張出部９ｂに跨っており、係合部９１は重畳部８に位置している。
左側枠部１７は、骨格部１３０の本体部１４０が重畳部８に位置しており、骨格部１３０の閉塞部１４１及び流路形成部１３１が桁行側張出部９ｃに位置している。すなわち、導電部１３８は、桁行側張出部９ｃに位置している。
右側枠部１８は、重畳部８に位置している。すなわち、導電部１５０は、重畳部８に位置している。
差込金具２０，２１は、重畳部８に位置している。すなわち、係止片１６７は、重畳部８に位置している。
【０１１０】
続いて、雪止め機能のない第２太陽電池モジュール２ｂについて説明する。なお、雪止め機能付きの第１太陽電池モジュール２ａと同様の構成については、同様の符番を付して説明を省略する。
【０１１１】
第２太陽電池モジュール２ｂの保持部材６ｂは、図１８に示されるように、軒先側枠部２００の形状が第１太陽電池モジュール２ａの保持部材６ａの軒先側枠部１６の形状と異なる。すなわち、保持部材６ｂの軒先側枠部２００には、第１太陽電池モジュール２ａの軒先側枠部１６のような雪止め部６６がない。
軒先側枠部２００は、第１太陽電池モジュール２ａの軒先側枠部１６と同様、屋根構造１を組み立てたときに、太陽電池パネル５の軒先側端部を保持する部位である。
軒先側枠部２００は、太陽電池パネル５の軒先側辺１１に沿って延びた長尺体であり、図１９のように、太陽電池パネル５の軒先側端部を挿入可能な保持凹部２０１を備えている。
また、軒先側枠部２００は、第１骨格部２０２と、第２骨格部２０３と、軒先側ガスケット部６３を備えている。
第１骨格部２０２は、第２骨格部２０３とともに、太陽電池パネル５の軒先側端部を保護する下フレームを構成する部位である。
第１骨格部２０２は、図１９のように第１凹部形成部２０６を備えている。
第１凹部形成部２０６は、太陽電池パネル５の軒先側端部と嵌合可能な保持凹部２０１の一部を構成する部位であり、太陽電池パネル５の軒先側辺１１に沿って延びた長尺の部材である。
【０１１２】
第１凹部形成部２０６は、図１９のように断面形状が略「Ｌ」字状の部位であり、正面側壁部２１０と、端面側壁部２１１から構成されている。
正面側壁部２１０は、太陽電池パネル５の正面側の一部を覆う壁部である。正面側壁部２１０は、端面側壁部２１１から縦方向Ｙに延びており、その延び方向の中間部に第１凹溝６９を備えている。
端面側壁部２１１は、太陽電池パネル５の端面側を覆う壁部であり、第２太陽電池モジュール２ｂの軒先側端部の外観を形成するフロントカバーとして機能する部位である。
端面側壁部２１１は、図２０に示されるように、その高さ方向の中間部に挿通孔２１２を有している。
挿通孔２１２は、一時締結要素２１５を挿通可能な孔であって、厚み方向に貫通した貫通孔である。
【０１１３】
第２骨格部２０３は、図１９のように、第２凹部形成部２１６と、接続部２１７と、固定部７７を備えている。
【０１１４】
第２凹部形成部２１６は、第１骨格部２０２の第１凹部形成部２０６とともに、太陽電池パネル５の軒先側端部と嵌合可能な保持凹部２０１を構成する部位であり、太陽電池パネル５の軒先側辺１１に沿って延びた長尺状の部材である。
第２凹部形成部２１６は、裏面側壁部７８を備えている。
裏面側壁部７８は、太陽電池パネル５の裏面側を覆う壁部である。
【０１１５】
接続部２１７は、第１骨格部２０２の端面側壁部２１１と接続する部位であり、裏面側壁部７８の軒先側端部から下方に向けて立設された部位である。
接続部２１７は、裏面側壁部７８から下方に向けて直立した直立壁部２１８と、直立壁部２１８の下端部から所定の角度で傾斜した傾斜壁部２１９から構成されている。
直立壁部２１８は、一時締結要素２１５と締結可能な締結受け部２２０を備えている。
締結受け部２２０は、一時締結要素２１５と係合可能な係合穴であり、直立壁部２１８の部材厚方向に延びた穴である。
【０１１６】
ここで、軒先側枠部２００の各構成部位の位置関係について説明する。
【０１１７】
第１骨格部２０２は、図２０から読み取れるように、一時締結要素２１５によって第２骨格部２０３と一体となっており、一時締結要素２１５を取り外すことによって第２骨格部２０３に対して着脱可能となっている。すなわち、第１骨格部２０２の端面側壁部２１１は、第２骨格部２０３の直立壁部２１８と厚み方向に重なっており、第１骨格部２０２の挿通孔２１２は、図１９のように、第２骨格部２０３の締結受け部２２０と連通孔を形成している。そして、軒先側枠部２００は、当該連通孔に一時締結要素２１５が挿入されている。
また、第１ガスケット部１００は、図２０のように、第１骨格部２０２と一体となって第１分割片２０７を形成しており、第２ガスケット部１０１は、第２骨格部２０３と一体となって第２分割片２０８を形成している。
また軒先側枠部２００は、第１実施形態の軒先側枠部１６と同様、軒先側張出部９ｂに位置している。
【０１１８】
続いて、第２太陽電池モジュール２ｂの各構成部材の位置関係について説明する。
【０１１９】
太陽電池パネル５は、保持部材６ｂに保持されており、受光面７は、保持部材６ｂから露出している。具体的には、太陽電池パネル５の棟側端部は、棟側枠部１５の保持凹部３０に挿入されており、太陽電池パネル５の軒先側端部は、軒先側枠部２００の保持凹部２０１に挿入されている。
【０１２０】
続いて、屋根構造１の残りの構成部材について説明する。
【０１２１】
瓦部材３００は、公知の瓦であり、屋根下地３０１に釘等の締結要素３０５によって固定される部材である。
瓦部材３００は、図２１のように、ある程度厚みがあって、平面視略四角形状をしている。
瓦部材３００は、棟方向端部に屋根下地３０１に対して固定するための固定孔３１０を備えている。固定孔３１０は、部材厚方向に貫通した貫通孔であり、締結要素３０５を挿通可能となっている。
【０１２２】
軒先金具３０２は、基礎屋根構造３０４の瓦桟３０６に直接取り付けられ、太陽電池モジュール２を基礎屋根構造３０４に対して固定する金具である。
軒先金具３０２は、一枚の板材を折り曲げ加工して形成されたものである。
軒先金具３０２は、図２２のように、第１板部３１１と、接続板部３１２と、第２板部３１３から構成されている。
第１板部３１１は、屋根下地３０１に取り付ける取付部であり、固定孔３１５と、切り欠き部３１６を備えている。
【０１２３】
接続板部３１２は、第１板部３１１の端部と第２板部３１３の端部を接続する板部であって、第１板部３１１と第２板部３１３との間に段差を形成する部位である。
接続板部３１２は、その一部が切り起こされて切り起こし部３１７が形成されている。すなわち、接続板部３１２は、切り起こし部３１７によって、厚み方向に貫通した貫通孔３１８が形成されている。
切り起こし部３１７は、第１板部３１１と同一平面を形成し、面一となっている。
貫通孔３１８は、雨水等を逃がす雨逃がし孔である。
第２板部３１３は、太陽電池モジュール２の係合部９１と係合可能な係合片である。
第２板部３１３は、第１板部３１１よりも高い位置にあって、接続板部３１２を介して第１板部３１１と段状に連続している。
【０１２４】
中間取付金具３０３は、図２３のように一枚の板材を折り曲げ加工して形成された部材である。
中間取付金具３０３は、瓦部材３００に対して一体的に取り付ける部材であり、第１板部３３０と、接続板部３３１と、第２板部３３２（金具側張出部）を備えている。
第１板部３３０は、瓦部材３００に取り付ける取付部であり、取付孔３３３を備えている。
取付孔３３３は、部材厚方向に貫通した貫通孔であり、締結要素３０５を挿通可能となっている。
接続板部３３１は、第１板部３３０の端部と第２板部３３２の端部を接続する板部であって、第１板部３３０と第２板部３３２との間に段差を形成する部位である。
第２板部３３２は、太陽電池モジュール２の差込金具２０，２１と係合可能な係合片である。
第２板部３３２は、第１板部３３０よりも低い位置にあって、接続板部３３１を介して第１板部３３０と段状に連続している。
【０１２５】
基礎屋根構造３０４は、図２４のように、所定の角度の傾斜面上に瓦桟３０６と、瓦棒３０７と、野地板３０８が敷設された屋根下地３０１を有するものである。
瓦桟３０６は、桁行方向に延びる長尺体であり、断面形状が直角三角形状の部材である。
瓦桟３０６の斜面は、傾斜面の傾斜方向（軒棟方向）に対して交差する方向に向くように設けられている。
瓦棒３０７は、瓦部材３００及び太陽電池モジュール２を支持する部材であり、桁行方向に延びる長尺体である。
瓦棒３０７は、傾斜方向に所定の間隔を空けて並設されている。
野地板３０８は、並設された瓦棒３０７，３０７の間に配される部材であり、長方形状の板材である。
【０１２６】
続いて、本発明の第１実施形態の屋根構造１の組み立て手順について説明する。
【０１２７】
あらかじめ、図２５（ａ）から読み取れるように基礎屋根構造３０４の瓦桟３０６に複数の軒先金具３０２を取り付ける。
【０１２８】
このとき、図２７（ａ）から読み取れるように、釘等の締結要素３２０が軒先金具３０２の固定孔３１５を挿通して瓦桟３０６に打ち込まれており、軒先金具３０２と瓦桟３０６が一体となっている。また軒先金具３０２の第２板部３１３は、基礎屋根構造３０４の瓦桟３０６から張り出しており、接続板部３１２によって片持ち状に支持されている。
【０１２９】
続いて、瓦部材３００及び一段目の太陽電池モジュール２を基礎屋根構造３０４に敷設していく。
【０１３０】
まず、瓦部材３００を瓦棒３０７上に載置し、瓦部材３００の棟側端部に中間取付金具３０３を取り付けた状態で釘等の締結要素３３５を打設する。
【０１３１】
このとき、締結要素３３５は、図３０から読み取れるように、中間取付金具３０３の第１板部３３０の取付孔３３３を挿通して瓦棒３０７に打ち込まれており、中間取付金具３０３と瓦部材３００が一体となっている。また中間取付金具３０３の第２板部３３２は、瓦部材３００から棟側に向かって張り出しており、接続板部３３１によって片持ち状に支持されている。
【０１３２】
続いて、図２５（ａ）のように、一段目の太陽電池モジュール２（２Ａ）を軒先金具３０２に引っかけて棟側に移動させ、基礎屋根構造３０４の瓦棒３０７上に載置し、図２５（ｂ）のように、この太陽電池モジュール２Ａをあらかじめ設置された瓦部材３００に相対的に近接させて太陽電池モジュール２Ａの位置決めをする。そして、釘等の締結要素３９によって太陽電池モジュール２Ａを基礎屋根構造３０４に固定する。
【０１３３】
このとき、瓦部材３００の左側端部が太陽電池モジュール２Ａの右側枠部１８の閉塞部１４６の下方に位置しており、太陽電池パネル５の右側端面が瓦部材３００の左側端面と近接して対面している。
また、太陽電池モジュール２Ａは、図２７から読み取れるように、軒先側枠部２００の係合部９１が軒先金具３０２の第２板部３１３と係合しており、棟側枠部１５の固定板部４０が基礎屋根構造３０４の瓦棒３０７上に載置されている。また、締結要素３９は、太陽電池モジュール２Ａの棟側枠部１５の固定板部４０の固定孔４４を挿通し、瓦棒３０７に打設されている。
【０１３４】
続いて、図２６（ａ）のように、太陽電池モジュール２（２Ｂ）を軒先金具３０２に引っかけて棟側に移動させ、基礎屋根構造３０４の瓦棒３０７上に載置し、図２６（ｂ）のように、この太陽電池モジュール２Ｂを桁行方向に隣接する太陽電池モジュール２Ａに相対的に近接させて太陽電池モジュール２Ｂの位置決めをする。
ここで、この位置決めの際には、図２８のように、太陽電池モジュール２Ａの左側枠部１７の導電部１３８の先端が太陽電池モジュール２Ｂの右側枠部１８の保護層に接触するように太陽電池モジュール２Ｂを移動させて保護層の一部を削り、導電部１５０を露出させる。
そして、左側枠部１７の導電部１３８が右側枠部１８の導電部１５０に食い込んだ状態で、釘等の締結要素３９によって太陽電池モジュール２Ｂを基礎屋根構造３０４に固定する。
【０１３５】
このとき、軒棟方向では、図２７（ａ）のように、太陽電池モジュール２Ｂは、軒先側枠部２００の係合部９１が軒先金具３０２の第２板部３１３と係合しており、棟側枠部１５の固定板部４０が基礎屋根構造３０４の瓦棒３０７上に載置されている。また、締結要素３９は、太陽電池モジュール２Ｂの棟側枠部１５の固定板部４０の固定孔４４を挿通し、瓦棒３０７に打設されている。
一方、桁行方向では、図２７（ｂ）のように、太陽電池モジュール２Ｂは、右側枠部１８が太陽電池モジュール２Ａの左側枠部１７と係合しており、太陽電池モジュール２Ａの左側枠部１７によって位置決めをされている。
具体的には、太陽電池モジュール２Ａの左側枠部１７は、側壁形成部１３７の先端に位置する導電部１３８が太陽電池モジュール２Ｂの右側枠部１８の骨格部１４５の下面に位置する導電部１５０と接触している。太陽電池モジュール２Ａの左側枠部１７の導電部１３８の先端部分は、太陽電池モジュール２Ｂの右側枠部１８の導電部１５０の凸部１５１，１５１の間の窪みに挿入されており、導電部１５０の凸部１５１と係合している。太陽電池モジュール２Ａの左側枠部１７は、閉塞部１４１が太陽電池モジュール２Ｂの右側枠部１８の閉塞部１４６と当接又は近接しており、流路１３５の上方が当該閉塞部１４６によって覆われている。
また、太陽電池モジュール２Ｂの太陽電池パネル５は、右辺１３が太陽電池モジュール２Ａの太陽電池パネル５の左辺１２と近接しており、右側端面が太陽電池モジュール２Ａの太陽電池パネル５の左側端面と対面している。
【０１３６】
一段目の太陽電池モジュール２の基礎屋根構造３０４への敷設が完了すると、二段目の瓦部材３００及び太陽電池モジュール２を敷設していく。
具体的には、図２９（ａ）のように、二段目の太陽電池モジュール２（２Ｃ）を軒先側にスライドさせ、瓦部材３００に取り付けられた中間取付金具３０３及び一段目の太陽電池モジュール２Ａの棟側枠部１５の一部を差し込んで、基礎屋根構造３０４の瓦棒３０７上に載置する。そして、図２９（ｂ）のように、この太陽電池モジュール２Ｃをあらかじめ設置された二段目の瓦部材３００に相対的に近接させて太陽電池モジュール２Ｃを位置決めし、釘等の締結要素３９によって太陽電池モジュール２Ｃを基礎屋根構造３０４に固定する。
【０１３７】
このとき、二段目の太陽電池モジュール２Ｃは、図２９（ａ），図２９（ｂ）から読み取れるように、桁行方向において、中間取付金具３０３と一段目の太陽電池モジュール２Ａに跨って配されている。二段目の太陽電池モジュール２Ｃの太陽電池パネル５の桁行方向の中央部分は、瓦部材３００と一段目の太陽電池モジュール２Ａとの境界部分近傍に位置している。
二段目の太陽電池モジュール２Ｃは、図３１のように軒先側枠部１６の一部が一段目の太陽電池モジュール２Ａの棟側枠部１５の正面側壁部３５の一部に載置されている。また、右側の差込金具２１の差込部１６１が中間取付金具３０３の第２板部３３２と係合しており、左側の差込金具２０の差込部１６０が一段目の太陽電池モジュール２Ａの棟側枠部１５の係合部５６と係合している。
【０１３８】
具体的には、二段目の太陽電池モジュール２Ｃは、図３１のように右側の差込金具２１の差込部１６１の空間１７０に中間取付金具３０３の第２板部３３２が差込部１６１の係止片１６７の折り返し部１７２を押圧した状態で進入しており、この折り返し部１７２が弾性復元力によって、第２板部３３２を上方に向けて押圧している。差込部１６１の係止片１６７の折り返し部１７２と第２板部３３２との接触部位は、二段目の太陽電池モジュール２Ｃの受光面７の天地方向の投影面上に位置している。
中間取付金具３０３の第２板部３３２の挿入方向先端部は、右側の差込金具２１の差込部１６１の空間形成部１６６まで至っておらず、中間取付金具３０３の第２板部３３２の先端と差込部１６１の空間形成部１６６の間に隙間がある。すなわち、中間取付金具３０３の第２板部３３２の挿入方向の投影面上には、軒棟方向への調整可能な調整空間１８５が形成されている。
【０１３９】
また、二段目の太陽電池モジュール２Ｃは、図３０のように左側の差込金具２０の差込部１６０の空間１７０に一段目の太陽電池モジュール２Ａの棟側枠部１５の係合部５６が進入しており、差込部１６０の係止片１６７の折り返し部１７２が、弾性復元力によって係合部５６を上方に向けて押圧している。差込部１６０の係止片１６７の折り返し部１７２と係合部５６との接触部位は、二段目の太陽電池モジュール２Ｃの受光面７の天地方向の投影面上に位置している。
一段目の太陽電池モジュール２Ａの棟側枠部１５の係合部５６の挿入方向先端部は、図３１のように、左側の差込金具２０の差込部１６０の空間形成部１６６まで至っておらず、太陽電池モジュール２Ａの棟側枠部１５の係合部５６の挿入方向先端部と、差込部１６０の空間形成部１６６の間に隙間がある。すなわち、太陽電池モジュール２Ａの棟側枠部１５の係合部５６の挿入方向の投影面上には、軒棟方向への調整可能な調整空間１８６が形成されている。
二段目の太陽電池モジュール２Ｃは、基礎屋根構造３０４の瓦棒３０７上に載置されている。また、締結要素３９は、太陽電池モジュール２Ｃの棟側枠部１５の固定板部４０の固定孔４４を挿通し、瓦棒３０７に打設されている。
二段目の太陽電池モジュール２Ｃの第１骨格部６１の雪止め部６６及び端面側壁部６８と第２骨格部６２のカバー部７６は、一段目の瓦部材３００及び太陽電池モジュール２Ａから露出しており、二段目の太陽電池モジュール２Ｃの軒先側の外観を構成している。
【０１４０】
続いて、図３２（ａ）のように、二段目の太陽電池モジュール２（２Ｄ）を軒先側にスライドさせ、一段目の太陽電池モジュール２Ａ，２Ｂの棟側枠部１５の一部を差し込んで、基礎屋根構造３０４の瓦棒３０７上に載置する。そして、図３２（ｂ）のように、この太陽電池モジュール２Ｄを桁行方向に隣接する太陽電池モジュール２Ｃに相対的に近接させて太陽電池モジュール２Ｄを位置決めし、釘等の締結要素３９によって太陽電池モジュール２Ｄを基礎屋根構造３０４に固定する。
【０１４１】
このとき、二段目の太陽電池モジュール２Ｄは、図３２（ａ），図３２（ｂ）から読み取れるように、桁行方向において、一段目の太陽電池モジュール２Ａ，２Ｂに跨って配されている。二段目の太陽電池モジュール２Ｄの太陽電池パネル５の桁行方向の中央部分は、一段目の太陽電池モジュール２Ａ，２Ｂの境界部分近傍に位置している。
二段目の太陽電池モジュール２Ｄは、右側の差込金具２１の差込部１６１が、一段目の太陽電池モジュール２Ａの棟側枠部１５の係合部５６と係合しており、左側の差込金具２０の差込部１６０が、一段目の太陽電池モジュール２Ｂの棟側枠部１５の係合部５６と係合している。
【０１４２】
具体的には、二段目の太陽電池モジュール２Ｄは、差込金具２１，２０の差込部１６１，１６０の空間１７０，１７０に一段目の太陽電池モジュール２Ａ，２Ｂの棟側枠部１５，１５の係合部５６，５６が進入しており、差込部１６１，１６０の係止片１６７，１６７の折り返し部１７２，１７２が、弾性復元力によって係合部５６，５６を上方に向けて押圧している。差込部１６１，１６０の係止片１６７，１６７の折り返し部１７２，１７２と係合部５６，５６との接触部位は、二段目の太陽電池モジュール２Ｄの受光面７の天地方向の投影面上に位置している。
また、二段目の太陽電池モジュール２Ｄは、基礎屋根構造３０４の瓦棒３０７上に載置されている。また、締結要素３９は、太陽電池モジュール２Ｄの棟側枠部１５の固定板部４０の固定孔４４を挿通し、瓦棒３０７に打設されている。
【０１４３】
太陽電池モジュール２Ｄは、桁行方向において、右側枠部１８が太陽電池モジュール２Ｃの左側枠部１７と係合しており、太陽電池モジュール２Ｃの右側枠部１７によって位置決めをされている。
具体的には、太陽電池モジュール２Ｃの左側枠部１７は、側壁形成部１３７の先端に位置する導電部１３８が太陽電池モジュール２Ｄの右側枠部１８の骨格部１４５の下面に位置する導電部１５０と接触している。太陽電池モジュール２Ｃの左側枠部１７の導電部１３８の先端部分は、太陽電池モジュール２Ｄの右側枠部１８の導電部１５０の凸部１５１，１５１の間の窪みに挿入されており、導電部１５０の凸部１５１と係合している。太陽電池モジュール２Ｃの左側枠部１７は、閉塞部１４１が太陽電池モジュール２Ｄの右側枠部１８の閉塞部１４６と当接又は近接しており、流路１３５の上方が当該閉塞部１４６によって覆われている。
また、太陽電池モジュール２Ｄの太陽電池パネル５は、右辺１３が太陽電池モジュール２Ｃの太陽電池パネル５の左辺１２と近接しており、右側端面が太陽電池モジュール２Ｃの太陽電池パネル５の左側端面と対面している。
【０１４４】
二段目の太陽電池モジュール２の基礎屋根構造３０４への敷設が完了すると、三段目以降の瓦部材３００及び太陽電池モジュール２を敷設していき、屋根構造１が完成する。
【０１４５】
ところで、瓦一体型太陽電池モジュールを用いた屋根構造では、多数の太陽電池モジュールを基礎屋根構造３０４に並設することになるが、初期不良や落下物等によって、一部の太陽電池パネルのみが破損する場合が生じ得る。
【０１４６】
そこで、本実施形態の屋根構造１に採用する太陽電池モジュール２ａ，２ｂは、基礎屋根構造３０４に取り付けた状態で太陽電池パネル５の交換が可能となっている。
すなわち、太陽電池モジュール２は、上記したように軒先側枠部１６が複数に分割可能となっており、使用済みの太陽電池パネル５を新品の太陽電池パネル５に交換する際には、図３３のように一時締結要素７０を挿通孔７１及び締結受け部８２から取り外し、図１１のように、第２骨格部６２及び第２ガスケット部１０１からなる第２分割片２３から第１骨格部６１及び第１ガスケット部１００からなる第１分割片２２を取り外す。そうすると、使用済みの太陽電池パネル５の軒先側端面は、外部に露出し、使用済み太陽電池パネル５は、軒棟方向に開放されて軒先側に移動可能となるので、軒先側に使用済み太陽電池パネル５を棟側枠部１５から引き抜く。
そして、新品の太陽電池パネル５を棟側枠部１５の保持凹部３０内に差し込み、一時締結要素７０によって第２分割片２３に第１分割片２２を取り付ける。こうすることによって、新品の太陽電池パネル５は、棟側端部が棟側枠部１５の保持凹部３０に保持され、軒先側端部が軒先側枠部１６の保持凹部６０に保持されて基礎屋根構造３０４に固定される。
【０１４７】
また、第２太陽電池モジュール２ｂも、第１太陽電池モジュール２ａと同様、軒先側枠部２００が複数に分割可能となっており、使用済みの太陽電池パネル５を新品の太陽電池パネル５に交換する際には、上記と同様、一時締結要素２１５を挿通孔２１２及び締結受け部２２０から取り外し、図２０のように、第２骨格部２０３及び第２ガスケット部１０１からなる第２分割片２０８から第１骨格部２０２及び第１ガスケット部１００からなる第１分割片２０７を取り外す。そうすると、使用済み太陽電池パネル５の軒先側端面は、軒棟方向に開放されるので、軒先側に使用済み太陽電池パネル５を棟側枠部１５から引き抜く。
そして、新品の太陽電池パネル５を棟側枠部１５の保持凹部３０内に差し込み、一時締結要素２１５によって第２分割片２０８に第１分割片２０７を取り付ける。こうすることによって、新品の太陽電池パネル５は、棟側端部が棟側枠部１５の保持凹部３０に保持され、軒先側端部が軒先側枠部２００の保持凹部２０１に保持されて基礎屋根構造３０４に固定される。
【０１４８】
このように、本実施形態の太陽電池モジュール２ａ，２ｂは、基礎屋根構造３０４に取り付けた状態で太陽電池パネル５の交換が可能であるため、メンテナンス等が容易である。また太陽電池モジュール２ａ，２ｂは、新品の太陽電池パネル５の差込方向において、硬質ガスケット部４５の外側に軟質ガスケット部４６が設けられているため、新品の太陽電池パネル５を棟側枠部１５の保持凹部３０に差し込む際に、差込時の応力によって破損することを防止できる。
【０１４９】
第１実施形態の太陽電池モジュール２によれば、棟側枠部１５に太陽電池パネル５の棟側端部が差し込まれ、硬質ガスケット部４５によって太陽電池パネル５の棟側端部が挟持されている。さらに、棟側枠部１５には、太陽電池パネル５の差込方向において、硬質ガスケット部４５の外側に軟質ガスケット部４６が設けられているため、軟質ガスケット部４６が弾性変形することによって、太陽電池パネル５の寸法の個体差を吸収することができる。
【０１５０】
ところで、太陽電池モジュール２は、既存の基礎屋根構造３０４に取り付ける場合があり、基礎屋根構造３０４によっては勾配が異なる。そのため、従来の太陽電池モジュールでは、基礎屋根構造３０４の勾配に合わせたフレームが必要となっており、製造コストが嵩むという問題がある。
【０１５１】
そこで、本実施形態の太陽電池モジュール２は、差込金具２０，２１の懐が深く形成されており、差込金具２０，２１の係合部５６への差込長さＳ（挿入長さ）を調整することで、基礎屋根構造３０４の勾配が変わっても対応可能となっている。すなわち、勾配が異なる複数種類の屋根下地３０１に対して設置可能となっている。
具体的には、図３４（ａ）のように、基礎屋根構造３０４の水平面に対する傾斜角度θが小さい場合には、差込金具２１（差込金具２０）の係合部５６への差込長さＳを長くして、図３５（ａ）のように、軒先側の太陽電池モジュール２Ｃと棟側の太陽電池モジュール２Ｅの重なり幅Ｔを大きくし、屋根構造１を鉛直方向からみたときの太陽電池パネル５の露出部分の軒棟方向の長さＤを調整する。一方、図３４（ｂ）のように、基礎屋根構造３０４の傾斜角度θが大きい場合には、差込金具２１（差込金具２０）の係合部５６への差込長さＳを短くして、図３５（ｂ）のように、軒先側の太陽電池モジュール２Ｃと棟側の太陽電池モジュール２Ｅの重なり幅Ｔを小さくし、屋根構造１を鉛直方向からみたときの太陽電池パネル５の露出部分の軒棟方向の長さＤを調整する。
【０１５２】
このように、本実施形態の太陽電池モジュール２によれば、基礎屋根構造３０４の勾配にかかわらず、屋根構造１を鉛直方向からみたときの太陽電池パネル５の露出部分の軒棟方向の長さＤを統一できるため、意匠性の高い屋根構造となる。
また、基礎屋根構造３０４の勾配にかかわらず、同一の保持部材６で屋根下地３０１に設置できるため、屋根構造１を構成する太陽電池モジュール２を統一化することができ、製造コストを低減できる。
さらに、屋根構造１を構成する太陽電池モジュール２を統一化することができるため、従来のように、基礎屋根構造３０４の勾配に合わない太陽電池モジュールを現場に納入してしまうおそれがない。
【０１５３】
また、本実施形態の屋根構造１によれば、太陽電池モジュール２の差込金具２０，２１の懐が深く形成されており、瓦部材３００に取り付けられた中間取付金具３０３の第２板部３３２の差込長さ（挿入長さ）を調整することで、基礎屋根構造３０４の勾配が変わっても対応可能となっている。すなわち、瓦部材３００及び中間取付金具３０３は、勾配が異なる複数種類の屋根下地３０１に対して設置可能となっているので、従来のように、基礎屋根構造３０４の勾配に合わない中間取付金具を現場に納入してしまうおそれがない。
【０１５４】
第１実施形態の屋根構造１によれば、軒先側の太陽電池モジュール２Ａは、図３１のように導電性をもつ導電部材２６の係合部５６が棟側の太陽電池モジュール２Ｃの導電性をもつ差込金具２１の折り返し部１７２と接触しており、保持部材６が棟側の太陽電池モジュール２Ｃの保持部材６と電気的に接続されている。すなわち、別途配線部材を用いずとも、太陽電池モジュール２Ａで帯電した電荷を太陽電池モジュール２Ｃに逃がすことができるので、従来に比べて施工性が良好で、設置作業の簡素化が可能であり、さらに配線部材等の部品点数の削減も可能である。
また、太陽電池モジュール２Ａは、図２７（ｂ）のように左側枠部１７の導電部１３８が桁行方向に隣接する太陽電池モジュール２Ｂの右側枠部１８の導電部１５０と接触しており、保持部材６が桁行方向に隣接する太陽電池モジュール２Ｂの保持部材６と電気的に接続されている。すなわち、別途配線部材を用いずとも、太陽電池モジュール２Ａで帯電した電荷を太陽電池モジュール２Ｂに逃がすことができるので、従来に比べて施工性が良好で、設置作業の簡素化が可能であり、さらにコストの低減も可能である。
このように、この太陽電池モジュール２間を接地する構造（接地構造）を使用すれば、屋根構造１の一の太陽電池モジュール２の太陽電池パネル５が放電して保持部材６に電荷が帯電したとしても、各太陽電池モジュール２に電荷を逃がすことができる。そのため、屋根構造１を構成するいずれかの太陽電池モジュール２の保持部材６を大地接地等することによって、各太陽電池モジュール２の保持部材６を介して接地することが可能である。それ故に、安全性が高い屋根構造となる。
【０１５５】
第１実施形態の太陽電池モジュール２によれば、第１骨格部６１に第１凹溝６９が設けられ、第１ガスケット部１００に第１凸条部１０７が設けられ、これら第１凹溝６９と第１凸条部１０７が嵌合して一体となり、第１分割片２２を形成しているため、軒先側枠部１６を組み立てる際に、第１ガスケット部１００が第１骨格部６１から外れにくく、軒先側枠部１６の組み立てが容易である。
同様に、第１実施形態の太陽電池モジュール２によれば、第２骨格部６２に第２凹溝７９が設けられ、第２ガスケット部１０１に第２凸条部１１７が設けられ、これら第２凹溝７９と第２凸条部１１７が嵌合して一体となり、第２分割片２３を形成しているため、軒先側枠部１６を組み立てる際に、第２ガスケット部１０１が第２骨格部６２から外れにくく、軒先側枠部１６の組み立てが容易である。
【０１５６】
また、第１実施形態の太陽電池モジュール２によれば、第１ガスケット部１００の正面側緩衝部１０２に桁行方向に延びた第１凸条部１０７が設けられており、第１骨格部６１の正面側壁部６７の桁行方向に延びた第１凹溝６９と嵌合するため、太陽電池パネル５の受光面側の面を軒棟方向に伝わる雨水が第１凸条部１０７と第１凹溝６９によって堰き止められ、太陽電池パネル５の軒先側端面と第１ガスケット部１００の端面側緩衝部１０３との隙間に進入しにくい。そのため、太陽電池パネル５の軒先側端面からの雨水の浸入による太陽電池パネル５の破損を防止できる。
【０１５７】
第１実施形態の屋根構造１によれば、太陽電池モジュール２ａの軒先側枠部１６に雪止め部６６を備えているので、図３６のように、寒冷地でも雪止め部６６によって積雪が屋根の傾斜により、地面に落下することを抑制できる。
また、雪止め部６６が分割片２２の一部を構成するため、軒先側枠部１６の組み立てと同時に雪止め部６６の設置が可能であり、現場での雪止め金具を設置する作業が不要となる。そのため、従来に比べて施工性が良好で作業性の簡素化できる。
【０１５８】
第１実施形態の屋根構造１によれば、図３７に示されるように、太陽電池モジュール２の中央に通水路たる切り欠き部６４が形成され、太陽電池モジュール２の端部においても切り欠き部５８が桁行方向に隣接する他の太陽電池モジュール２の切り欠き部５９と合わさって一つの通水路９７を形成している。そのため、日中等に積雪が溶けて水になった場合でも、通水路たる切り欠き部５８，５９，６４から水を傾斜に沿って流すことができる。
【０１５９】
第１実施形態の太陽電池モジュール２によれば、差込金具２０，２１と軒先側枠部１６が補強桟１６２，１６３によって接続され、差込金具２０と左側枠部１７が接続され、差込金具２１と右側枠部１８が接続されているため、保持部材６が縦横方向に変形しにくい。そのため、積雪により、雪止め部６６に荷重が加わった場合に保持部材６が変形することを防止できる。
【０１６０】
第１実施形態の太陽電池モジュール２によれば、軒先側枠部１６において、互いに嵌合する第１凸条部１０７及び第１凹溝６９の長さが太陽電池パネル５の軒先側辺の長さの１１の１／３以上である。そのため、太陽電池パネル５の軒先側端面に雨水が至りにくく、太陽電池パネル５の軒先側端面からの雨水の浸入による故障等がより生じにくい。
同様に、軒先側枠部１６において、互いに嵌合する第２凸条部１１７及び第２凹溝７９の長さが太陽電池パネル５の軒先側辺１１の１／３以上であるため、太陽電池パネル５の軒先側端面に雨水が至りにくく、太陽電池パネル５の軒先側端面からの雨水の浸入による故障等がより生じにくい。
【０１６１】
続いて、第２実施形態の屋根構造４００について説明する。なお、第１実施形態の屋根構造１と同様の構成については、同様の符番を付して説明を省略する。
【０１６２】
本発明の第２実施形態の屋根構造４００は、図３８のように、第１実施形態の屋根構造１と同様、基礎屋根構造３０４の屋根下地３０１に対して瓦部材３００及び太陽電池モジュール４０２が敷設されたものであり、太陽電池モジュール４０２の構造が第１実施形態と異なる。
【０１６３】
第２実施形態の太陽電池モジュール４０２は、図３９に示されるように、太陽電池パネル５と、保持部材４０３を備えている。
また、第２実施形態の太陽電池モジュール４０２には、第１実施形態の太陽電池モジュール２と同様、２種類の保持部材４０３ａ，４０３ｂが採用されており、図４１，図５０から読み取れるように、雪止め機能がある第１太陽電池モジュール４０２ａと、雪止め機能がない第２太陽電池モジュール４０２ｂがある。
【０１６４】
第１太陽電池モジュール４０２ａは、図４０のように太陽電池パネル５の受光面を平面視したときに、太陽電池パネル５と重なる重畳部４１１と、太陽電池パネル５の４辺１０〜１３から張り出した張出部４１２ａ，４１２ｂ，４１２ｃを備えている。
重畳部４１１は、太陽電池パネル５と厚み方向に重なる部位であり、受光面７を平面視したときに、太陽電池パネル５で隠れる部位である。
棟側張出部４１２ａ（軒棟側張出部）は、太陽電池パネル５の棟側辺１０（棟側の辺）から張り出した部位である。
軒先側張出部４１２ｂ（軒棟側張出部）は、太陽電池パネル５の軒先側辺１１（軒先側の辺）から張り出した部位である。
桁行側張出部４１２ｃは、太陽電池パネル５の左側辺１２から張り出した部位である。
【０１６５】
第１太陽電池モジュール４０２ａの保持部材４０３ａは、図４１から読み取れるように、太陽電池パネル５の４辺１０〜１３に沿って延びる枠部４０５〜４０８と、補強桟４１０から構成されている。
【０１６６】
棟側枠部４０５は、図４３のように、保持本体部４２０と、導電部材４２１（第２導電部）を備えている。
保持本体部４２０は、図４２のように、太陽電池パネル５の軒側端部を挿入可能な保持凹部４２２を備えた部位であり、骨格部４２３と、棟側ガスケット部２８を備えている。
骨格部４２３は、太陽電池パネル５の棟側端部を保護する上フレームであり、導電体たる芯部材の表面に当該導電体よりも電気伝導率が低い保護層がコーティングされたものである。具体的には、骨格部４２３は、アルミニウム製の引き抜き材の表面にアルマイト処理を行って形成されている。
【０１６７】
骨格部４２３は、図４２，図４４から読み取れるように、凹部形成部４２５と、固定部４２６と、連結壁部４２７を備えている。
凹部形成部４２５は、図４２のように太陽電池パネル５の棟側端部と嵌合可能な保持凹部４２２を形成する部位である。
保持凹部４２２は、太陽電池パネル５の棟側辺１０に沿って延びた凹状の部位であり、太陽電池パネル５を保持する部位である。
【０１６８】
凹部形成部４２５は、図４２に示されるように、断面視略「コ」字状の部位であり、正面側壁部４３０と、接続壁部４３１と、裏面側壁部４３２によって保持凹部４２２を形成している。
正面側壁部４３０は、太陽電池パネル５の正面側を覆う壁部である。
接続壁部４３１は、正面側壁部４３０の棟側端部と裏面側壁部４３２の棟側端部を接続する壁部である。接続壁部４３１は、裏面側壁部４３２の棟側端部から太陽電池パネル５の受光面７に対して直交する方向に立設されており、その立設方向の上端部に正面側壁部４３０の棟側端部が接続されている。
裏面側壁部４３２は、太陽電池パネル５の裏面側を覆う壁部である。
裏面側壁部４３２は、接続壁部４３１から正面側壁部４３０と同一方向に延設され、正面側壁部４３０と厚み方向に所定の間隔を空けて対面するように配されている。
【０１６９】
固定部４２６は、図４２から読み取れるように、裏面側壁部４３２から連続的に延び、接続壁部４３１から棟側に張り出した部位である。
固定部４２６は、複数の固定孔４３６と、複数の取付穴４３７を備えている。
固定孔４３６は、締結要素３９によって屋根下地３０１の瓦棒３０７に対して固定するための貫通孔であり、締結要素３９を挿通可能となっている。
固定孔４３６は、天面から部材厚方向に深さを持っており、横方向に所定の間隔を空けて並設されている。
【０１７０】
取付穴４３７は、締結要素４３によって導電部材４２１を取り付けるための有底穴又は貫通孔であり、締結要素４３と係合可能となっている。
取付穴４３７は、天面から部材厚方向に深さを持っており、横方向Ｘに所定の間隔を空けて並設されている。
取付穴４３７は、固定部４２６の棟側端部近傍に設けられており、固定孔４３６よりも棟側に位置している。
【０１７１】
連結壁部４２７は、図４１に示される左側枠部４０７、補強桟４１０、及び右側枠部４０８のそれぞれと連結される壁部である。
連結壁部４２７は、図４３のように、裏面側壁部４３２の軒先側端部から下方に向けて折り曲げられた板状部位である。連結壁部４２７は、横方向に延びており、その中間部に締結要素５０４によって補強桟４１０を取り付けるための固定穴４２８を備えている。
固定穴４２８は、図４１から読み取れるように、締結要素５０４によって補強桟４１０を固定するための有底穴又は貫通孔であり、締結要素５０４と係合可能となっている。
締結要素５０４は、公知の締結要素であり、本実施形態では、ネジである。
【０１７２】
導電部材４２１は、導電体で形成され、アースに逃がすための導電経路を形成する部材である。導電部材４２１は、図４３，図４４から読み取れるように、取付板部４４０と、立壁部４４１と、係合板部４４２（第２係合部）を備えている。
【０１７３】
取付板部４４０は、図４３のように、固定部４２６に対して取り付けられる板状の部位であり、立壁部４４１の下端部から棟側に延びた板部であり、
取付板部４４０は、図４２から読み取れるように、複数の固定孔４４５と、複数の取付孔４４６を備えている。
固定孔４４５は、図４２（ｂ）のように固定部４２６の固定孔４３６と対をなす孔であって、組み立てたときに固定孔４３６と連通孔を形成する孔である。すなわち、固定孔４４５は、締結要素３９によって屋根下地３０１の瓦棒３０７に対して固定するための貫通孔であり、締結要素３９を挿通可能となっている。
また、固定孔４４５は、取付板部４４０の長手方向（横方向Ｘ）に所定の間隔を空けて並設されている。
【０１７４】
取付孔４４６は、図４２（ａ）のように固定部４２６の取付穴４３７と対をなす孔であって、取付穴４３７と連通孔を形成する孔である。すなわち、取付孔４４６は、締結要素４３によって固定部４２６に対して固定するための貫通孔であり、締結要素４３を挿通可能となっている。
また、取付孔４４６は、取付板部４４０の長手方向（横方向）に所定の間隔を空けて並設されている。
取付孔４４６は、図４４に示されるように、取付板部４４０の棟側端部近傍に設けられており、固定孔４４５よりも棟側に位置している。
【０１７５】
立壁部４４１は、図４４のように、取付板部４４０の軒先側端部から上方に向かって折り曲げられた壁部であって、係合板部４４２の棟側端部から下方に向かって折り曲げられた壁部でもある。すなわち、立壁部４４１は、取付板部４４０と係合板部４４２との間に段差を形成する壁部であり、上下方向に立ち上がった壁部である。
【０１７６】
係合板部４４２は、他の太陽電池モジュール４０２の軒先側枠部４０６と係合して他の太陽電池モジュール４０２の吹き上げを防止する吹き上げ防止部であり、他の太陽電池モジュール４０２の軒先側枠部４０６との間に導電経路を形成する部位である。
係合板部４４２は、図４４のように立壁部４４１の上端部から軒先側の延びた板部であり、立壁部４４１を介して取付板部４４０と段状に連続している。
【０１７７】
係合板部４４２は、図４３，図４４から読み取れるように、本体板部４５０と、左側接続部４５１（第４導電部）と、右側接続部４５２（第３導電部）を備えている。
本体板部４５０は、横長長方形状の板部であり、軒先側端部が折り返されて他の部分に比べて肉厚となった肉厚部４５９を形成している。
【０１７８】
左側接続部４５１は、本体板部４５０の横方向Ｘの一方の端部（左側端部）に設けられ、他の太陽電池モジュール４０２の右側接続部４５２と接続可能な部位である。
左側接続部４５１は、本体板部４５０に対して段状に連続し、本体板部４５０に対して片持ち状に支持される接続片４５３を備えている。
接続片４５３は、平面視したときに本体板部４５０から横方向Ｘの外側に張り出しており、その張出方向の端部から基端側に延びた切り欠き部４５５を備えている。
切り欠き部４５５は、図５５のように一時締結要素４５６の一部を挿入可能な切り欠きであり、一時締結要素４５６の挿入部分に沿った円弧状の切り欠きである。
【０１７９】
右側接続部４５２は、本体板部４５０の横方向Ｘの他方の端部（右側端部）に設けられ、他の太陽電池モジュール４０２の左側接続部４５１と接続可能な部位である。
右側接続部４５２は、接続穴４５４を備えている。
接続穴４５４は、本体板部４５０の天面から部材厚方向に深さをもった貫通孔又は有底穴であり、一時締結要素４５６の一部と係合可能な係合穴である。
一時締結要素４５６は、公知の一時締結要素であり、破壊せずに締結及び締結解除ができるものである。
【０１８０】
ここで、棟側枠部４０５の各構成部位の位置関係について説明する。
【０１８１】
導電部材４２１は、図４３から読み取れるように、締結要素４３によって保持本体部４２０と一体となっている。すなわち、導電部材４２１の取付板部４４０は、図４２（ａ）のように、保持本体部４２０の固定部４２６と厚み方向に重なって面接触しており、取付板部４４０の取付孔４４６は、取付穴４３７と連通孔を形成している。そして、棟側枠部４０５は、当該連通孔に導電性を持つ締結要素４３が挿入されている。
また、取付板部４４０の固定孔４４５は、図４２（ｂ）のように、固定孔４３６と連通孔を形成しており、当該連通孔は、締結要素３９を挿入可能となっている。
導電部材４２１の係合板部４４２は、図４２から読み取れるように、保持本体部４２０の正面側壁部４３０に対して上方に位置しており、保持本体部４２０の正面側壁部４３０との間に挿入空間４３５を形成している。
挿入空間４３５は、棟側が立壁部４４１によって閉塞され、軒先側が開放された空間である。すなわち、挿入空間４３５は、図５８のように、保持凹部４２２と同一方向に開放しており、軒先側から軒先側枠部４０６の係合部４７２を挿入可能となっている。
【０１８２】
棟側ガスケット部２８は、保持本体部４２０の保持凹部４２２の内壁に沿って取り付けられている。具体的には、硬質ガスケット部４５の正面側緩衝部４８は、骨格部４２３の正面側壁部４３０と対面して面接触しており、裏面側緩衝部５０は、骨格部４２３の裏面側壁部４３２と対面して面接触している。
軟質ガスケット部４６は、硬質ガスケット部４５の端面側緩衝部４９と骨格部４２３の接続壁部４３１との間に位置し、骨格部４２３の壁部４３０，４３２と対面して面接触している。
【０１８３】
続いて、軒先側枠部４０６について説明する。
【０１８４】
軒先側枠部４０６は、図４７のように、太陽電池パネル５の軒先側端部を保持する部位である。軒先側枠部４０６は、太陽電池パネル５の軒先側辺１１に沿って延びた長尺体であり、太陽電池パネル５の軒先側端部を挿入可能な保持凹部６０を備えている。
また、軒先側枠部４０６は、図４６のように、複数の分割片２２，４５８に分割可能であり、第１骨格部６１と、第２骨格部４６２と、軒先側ガスケット部６３と、導電部材４６３，４６４（第１導電部）を備えている。
【０１８５】
第２骨格部４６２は、導電体たる芯部材の表面に当該導電体よりも電気伝導率が低い保護層がコーティングされたものであり、図４７のように、第２凹部形成部７５と、カバー部４６７と、固定部４６８を備えている。
【０１８６】
カバー部４６７は、屋根構造１を組み立てたときに、第１骨格部６１の雪止め部６６及び端面側壁部６８とともに太陽電池モジュール４０２ａの外観を構成する部位である。すなわち、カバー部４６７は、雪止め部６６及び端面側壁部６８とともにフロントカバーとして機能する部位である。
【０１８７】
カバー部４６７は、図４７のように、接続部４７１と、接続部４７１から下方に向けて直立した直立壁部８７を備えている。
【０１８８】
接続部４７１は、第１骨格部６１の端面側壁部６８と接続する部位であり、裏面側壁部７８の軒先側端部から軒先側に張り出した部位である。
接続部４７１は、図４６のように、張出方向に対して直交方向に一時締結要素７０と締結可能な締結受け部８２を備えている。
【０１８９】
固定部４６８は、図４７のように、間隔維持壁部４７３と、取付壁部４７５と、係合部４７２（第１係合部）を備えている。
【０１９０】
間隔維持壁部４７３は、縦方向Ｙにおいて、第２凹部形成部７５と係合部４７２との間隔を維持する部位である。
間隔維持壁部４７３は、板状の壁部であり、壁部９５を介して裏面側壁部７８と段状に連続している。
間隔維持壁部４７３の下面には、横方向に延びたリブ９２が形成されており、当該リブ９２によって横方向Ｘの剛性が補強されている。
また、間隔維持壁部４７３は、図４１のように横方向Ｘの中間部に締結要素５０５と締結可能な固定穴４７４を備えている。
固定穴４７４は、締結要素５０５によって補強桟４１０を固定するための有底穴又は貫通孔であり、締結要素５０５と係合可能となっている。
【０１９１】
取付壁部４７５は、導電部材４６３，４６４を取り付けるための壁部である。
取付壁部４７５は、間隔維持壁部４７３と係合壁部４７６を接続する壁部であり、間隔維持壁部４７３と係合壁部４７６は、取付壁部４７５を介して段状に連続している。
取付壁部４７５は、横方向Ｘの両端部の近傍に取付穴４７７，４７８が設けられている。
取付穴４７７，４７８は、導電性をもつ締結要素４９０，４９１によって、導電部材４６３，４６４を取り付け可能な有底穴又は貫通孔であり、締結要素４９０，４９１と係合可能となっている。
【０１９２】
係合部４７２は、軒先金具３０２及び他の太陽電池モジュール４０２の棟側枠部４０５のそれぞれと係合可能な部位である。係合部４７２は、図４７のように、断面形状が「コ」字状の部位であり、上板部４８０と、接続板部４８１と、下板部４８２を備えており、上板部４８０、接続板部４８１、及び下板部４８２によって、挿入空間４８３が形成されている。
上板部４８０は、取付壁部４７５の下端部と接続され、取付壁部４７５を介して間隔維持壁部４７３と段状に連続する板状部位である。
接続板部４８１は、上板部４８０の棟側端部と、下板部４８２の棟側端部を接続する部位であり、上板部４８０と下板部４８２との間隔を所定の間隔に維持する部位である。接続板部４８１の軒先側の面は、図４７のように、取付壁部４７５の軒先側の面と同一平面を形成し、面一となっている。
下板部４８２は、上板部４８０に対して下方に位置し、上板部４８０と挿入空間４８３を挟んで上下方向に対面する板状部位である。
【０１９３】
導電部材４６３，４６４は、導電体で形成され、アースに逃がすための導電経路を形成する部材である。
導電部材４６３，４６４は、一枚の金属薄板を折り曲げ加工して形成される部材であり、取付板部４８５と、弾性板部４８６を備えている。
取付板部４８５は、第２骨格部４６２に取り付けるための板部であり、横方向Ｘの両端部の近傍に取付穴４８７，４８８が設けられている。
取付穴４８７，４８８は、図４５から読み取れるように、導電性をもつ締結要素４９０，４９１によって、第２骨格部４６２に対して取り付け可能な貫通孔であり、締結要素４９０，４９１を挿通可能となっている。
締結要素４９０，４９１は、導電性をもつ締結要素であり、本実施形態ではネジである。
【０１９４】
弾性板部４８６は、弾性変形可能な部位であり、接続板部４９５と、折り返し部４９６から構成されている。
接続板部４９５は、取付板部４８５の下端部から棟側に折り曲げられた部位であり、折り返し部４９６を片持ち状に支持する部位である。
折り返し部４９６は、接続板部４９５の棟側端部から折り返され、さらにその折り返し部分が山なり状に折り曲げられた部位であり、押圧部４９７を備えている。
【０１９５】
ここで、軒先側枠部４０６の各構成部位の位置関係について説明する。
【０１９６】
第１骨格部６１は、図４６から読み取れるように、一時締結要素７０によって第２骨格部４６２と一体となっており、一時締結要素７０を取り外すことによって第２骨格部４６２に対して着脱可能となっている。すなわち、第１骨格部６１の雪止め部６６及び端面側壁部６８は、第２骨格部４６２の接続部４７１と厚み方向に重なっており、雪止め部６６の挿通孔７１は、図４７のように、接続部４７１の締結受け部８２と連通孔を形成している。そして、軒先側枠部４０６は、当該連通孔に一時締結要素７０を挿入されている。
太陽電池パネル５を基準として接続部４７１の外側面は、雪止め部６６及び端面側壁部６８の外側面と同一平面を形成し、面一となっている。
【０１９７】
第１骨格部６１の第１凹部形成部６５と第２骨格部４６２の第２凹部形成部７５は、連なっており、保持凹部６０を形成している。軒先側ガスケット部６３は、骨格部６１，４６２によって形成された保持凹部６０の内壁に沿って取り付けられている。
【０１９８】
第１ガスケット部１００は、図４６のように、第１骨格部６１と一体となって第１分割片２２を形成しており、第２ガスケット部１０１は、第２骨格部４６２と一体となって第２分割片４５８を形成している。
【０１９９】
導電部材４６３，４６４は、図４５，図４７から読み取れるように、取付板部４８５，４８５が締結要素４９０，４９１によって取付壁部４７５と面接触した状態で取り付けられており、接続板部４９５が上板部４８０上に載置されている。また、導電部材４６３，４６４は、折り返し部４９６が上板部４８０の上面側からその端面を覆って下面側に折り返されており、押圧部４９７が挿入空間４８３内に位置している。また、押圧部４９７と上板部４８０の間には、空間が形成しており、押圧部４９７が上板部４８０側へ移動するための遊びがある。
【０２００】
左側枠部４０７は、第１実施形態の左側枠部１７とほぼ同様の部材であり、図４８のように、左側枠部１７の本体部１４０の底面が切り欠かれている。また、左側枠部４０７は、流路形成部１３１の側壁形成部１３７の先端部に導電部１３８が設けられておらず、丸みを帯びている。
【０２０１】
右側枠部４０８は、第１実施形態の右側枠部１８とほぼ同様の部材である。右側枠部４０８は、図４９のように、右側枠部１８の骨格部１４５の底面が切り欠かれており、導電部１５０が形成されていない。
【０２０２】
補強桟４１０は、保持部材６の歪みや太陽電池パネル５の撓みを抑制する桟であり、図４１のように、棟側枠部４０５の横方向Ｘの中間部と軒先側枠部４０６の横方向Ｘの中間部を接続する部材である。
補強桟４１０は、長尺状の桟本体５００と、その長手方向の一方の端部に棟側枠部４０５と接続可能な棟側接続部５０３を備え、その長手方向の他方の端部に軒先側枠部４０６と接続可能な軒先側接続部５０２を備えている。
【０２０３】
桟本体５００は、縦方向に延びた長板状の部位である。
棟側接続部５０３は、桟本体５００に対して直立した立壁部であって、固定孔５０６を有している。
固定孔５０６は、締結要素５０４によって棟側枠部４０５に固定するための貫通孔であり、締結要素５０４を挿通可能となっている。
軒先側接続部５０２は、桟本体５００の厚み方向に貫通した固定孔５０７を備えている。
固定孔５０７は、締結要素５０５によって軒先側枠部４０６に固定するための貫通孔であり、締結要素５０５を挿通可能となっている。
【０２０４】
続いて、第１太陽電池モジュール４０２ａの各構成部材の位置関係について説明する。
【０２０５】
太陽電池パネル５は、保持部材４０３ａに保持されており、受光面７は、保持部材４０３から露出している。具体的には、太陽電池パネル５の棟側端部は、棟側枠部４０５の保持凹部４２２に挿入されており、太陽電池パネル５の軒先側端部は、軒先側枠部４０６の保持凹部６０に挿入されている。
太陽電池パネル５の左側端部の近傍は、左側枠部４０７の本体部１４０上に載置されており、太陽電池パネル５の右側端部の近傍は、右側枠部４０８の骨格部１４５及び閉塞部１４６上に載置されている。
【０２０６】
また、棟側枠部４０５は、保持本体部４２０が重畳部４１１と棟側張出部４１２ａに跨っており、導電部材４２１の大部分が棟側張出部４１２ａに位置している。
軒先側枠部４０６は、重畳部４１１と軒先側張出部４１２ｂに跨っており、係合部４７２は重畳部４１１に位置している。また、導電部材４６３，４６４は、重畳部４１１に位置している。すなわち、押圧部４９７は重畳部４１１に位置している。
補強桟４１０は、重畳部４１１に位置している。
【０２０７】
続いて、雪止め機能のない第２太陽電池モジュール４０２ｂについて説明する。なお、雪止め機能付きの第１太陽電池モジュール４０２ａと同様の構成については、同様の符番を付して説明を省略する。
【０２０８】
第２太陽電池モジュール４０２ｂの保持部材４０３ｂは、図５０，図５１に示されるように、軒先側枠部５５０の形状が第１太陽電池モジュール４０２ａの保持部材４０３ａの軒先側枠部４０６の形状と異なる。すなわち、保持部材４０３ｂの軒先側枠部５５０には、第１太陽電池モジュール４０２ａの軒先側枠部４０６のような雪止め部６６がない。
軒先側枠部５５０は、第１太陽電池モジュール４０２ａの軒先側枠部４０６と同様、屋根構造１を組み立てたときに、太陽電池パネル５の軒先側端部を保持する部位である。
軒先側枠部５５０は、太陽電池パネル５の軒先側辺１１に沿って延びた長尺体であり、太陽電池パネル５の軒先側端部を挿入可能な保持凹部２０１を備えている。
また、軒先側枠部５５０は、図５１のように、第１骨格部２０２と、第２骨格部５５３と、軒先側ガスケット部６３を備えている。
第２骨格部５５３は、第２凹部形成部２１６と、接続部２１７と、固定部４６８を備えている。
【０２０９】
ここで、軒先側枠部５５０の各構成部位の位置関係について説明する。
【０２１０】
第１骨格部２０２は、図５０から読み取れるように、一時締結要素２１５によって第２骨格部５５３と一体となっており、一時締結要素２１５を取り外すことによって第２骨格部５５３に対して着脱可能となっている。すなわち、第１骨格部２０２の端面側壁部２１１は、図５１のように、第２骨格部５５３の直立壁部２１８と厚み方向に重なっており、第１骨格部２０２の挿通孔２１２は、第２骨格部５５３の締結受け部２２０と連通孔を形成している。そして、軒先側枠部５５０は、当該連通孔に一時締結要素２１５を挿入されている。
また、第１ガスケット部１００は、第１骨格部２０２と一体となって第１分割片５５５を形成しており、第２ガスケット部１０１は、第２骨格部５５３と一体となって第２分割片５５６を形成している。
【０２１１】
続いて、第２太陽電池モジュール４０２ｂの各構成部材の位置関係について説明する。
【０２１２】
太陽電池パネル５は、保持部材４０３ｂに保持されており、受光面７は、保持部材４０３ｂから露出している。具体的には、太陽電池パネル５の棟側端部は、棟側枠部４０５の保持凹部４２２に挿入されており、太陽電池パネル５の軒先側端部は、軒先側枠部５５０の保持凹部２０１に挿入されている。
【０２１３】
続いて、本発明の第２実施形態の屋根構造４００の組み立て手順について説明する。
【０２１４】
あらかじめ、第１実施形態の屋根構造１の組み立て手順と同様、基礎屋根構造３０４の瓦桟３０６に複数の軒先金具３０２を取り付け、瓦部材３００及び一段目の太陽電池モジュール４０２を基礎屋根構造３０４に敷設していく。
【０２１５】
まず、瓦部材３００を瓦棒３０７上に載置し、瓦部材３００の棟側端部に中間取付金具３０３を取り付けた状態で釘等の締結要素３３５を打設する。
【０２１６】
このとき、中間取付金具３０３は、第１実施形態の屋根構造１とは異なり、瓦部材３００上に第１板部３３０を載置し、第２板部３３２が第１板部３３０に対して軒先側になるように取り付ける。すなわち、瓦部材３００と第２板部３３２との間に空間が形成されている。
【０２１７】
続いて、図５２（ａ）のように、一段目の太陽電池モジュール４０２（４０２Ａ）を軒先金具３０２に引っかけて棟側に移動させ、基礎屋根構造３０４の瓦棒３０７上に載置し、図５２（ｂ）のように、この太陽電池モジュール４０２Ａをあらかじめ設置された瓦部材３００に相対的に近接させて太陽電池モジュール４０２Ａの位置決めをする。そして、釘等の締結要素３９によって太陽電池モジュール２Ａを基礎屋根構造３０４に固定する。
【０２１８】
このとき、瓦部材３００の左側端部が太陽電池モジュール４０２Ａの右側枠部４０８の閉塞部１４６の下方に位置しており、太陽電池パネル５の左側端面が瓦部材３００の右側端面と近接して対面している。
また、太陽電池モジュール４０２Ａは、図５４のように、軒先側枠部５５０の係合部４７２及び導電部材４６４が軒先金具３０２の第２板部３１３と係合している。具体的には、軒先側枠部５５０の係合部４７２の挿入空間４８３内に軒先金具３０２の第２板部３１３が導電部材４６４を押圧しながら挿入され、導電部材４６４の押圧部４９７は、その復元力によって第２板部３１３を係合部４７２の下板部４８２側に押圧している。
また、棟側枠部４０５の固定部４２６が基礎屋根構造３０４の瓦棒３０７上に載置されており、締結要素３９は、太陽電池モジュール４０２Ａの棟側枠部４０５の固定部４２６の固定孔４３６及び導電部材４２１の固定孔４４５を挿通し、瓦棒３０７に打設されている。
【０２１９】
続いて、図５３（ａ）のように、太陽電池モジュール４０２Ｂ（４０２）の軒先側枠部５５０を軒先金具３０２に引っかけて、基礎屋根構造３０４の瓦棒３０７上に載置し、図５３（ｂ）のように、この太陽電池モジュール４０２Ｂを桁行方向に隣接する太陽電池モジュール４０２Ａに相対的に近接させて太陽電池モジュール４０２Ｂの位置決めをする。そして、釘等の締結要素３９によって太陽電池モジュール４０２Ｂを基礎屋根構造３０４に固定する。
【０２２０】
このとき、軒棟方向では、太陽電池モジュール４０２Ｂは、軒先側枠部５５０の係合部４７２及び導電部材４６３が軒先金具３０２の第２板部３１３と係合している。
太陽電池モジュール４０２Ｂは、棟側枠部４０５の固定部４２６が基礎屋根構造３０４の瓦棒３０７上に載置されている。また、締結要素３９は、太陽電池モジュール４０２Ｂの棟側枠部４０５の固定部４２６の固定孔４３６及び導電部材４２１の固定孔４４５を挿通し、瓦棒３０７に打設されている。
一方、桁行方向では、太陽電池モジュール４０２Ａの左側枠部４０７は、閉塞部１４１が桁行方向に隣接する他の太陽電池モジュール４０２Ｂの右側枠部４０８の閉塞部１４６と当接又は近接しており、流路１３５の上方が当該閉塞部１４６によって覆われている。
太陽電池モジュール４０２Ａの導電部材４２１の左側接続部４５１は、図５５から読み取れるように、桁行方向に隣接する他の太陽電池モジュール４０２Ｂの導電部材４２１の右側接続部４５２と接続されており、太陽電池モジュール４０２Ａの導電部材４２１と他の太陽電池モジュール４０２Ｂの導電部材４２１は電気的に接続されて同電位となっている。
具体的には、太陽電池モジュール４０２Ａの導電部材４２１の左側接続部４５１の接続片４５３は、太陽電池モジュール４０２Ｂの導電部材４２１の右側接続部４５２上を覆っており、平面視したときに、切り欠き部４５５が右側接続部４５２の接続穴４５４と重なっている。そして、左側接続部４５１の切り欠き部４５５と右側接続部４５２の接続穴４５４に跨って一時締結要素４５６が挿入され、左側接続部４５１と右側接続部４５２が一体となっている。
【０２２１】
一段目の太陽電池モジュール４０２の基礎屋根構造３０４への敷設が完了すると、二段目の瓦部材３００及び太陽電池モジュール４０２を敷設していく。
具体的には、図５６（ａ）のように、二段目の太陽電池モジュール４０２Ｃ（４０２）の軒先側枠部４０６を瓦部材３００に取り付けられた中間取付金具３０３及び一段目の太陽電池モジュール４０２Ａの棟側枠部４０５に引っかけて棟側に移動させ、基礎屋根構造３０４の瓦棒３０７上に載置する。そして、図５６（ｂ）のように、この太陽電池モジュール４０２Ｃをあらかじめ設置された二段目の瓦部材３００に相対的に近接させて太陽電池モジュール４０２Ｃの位置決めをし、釘等の締結要素３９によって太陽電池モジュール４０２Ｃを基礎屋根構造３０４に固定する。
【０２２２】
このとき、二段目の太陽電池モジュール４０２Ｃは、図５６から読み取れるように、桁行方向において、中間取付金具３０３と一段目の太陽電池モジュール４０２Ａに跨って配されている。二段目の太陽電池モジュール４０２Ｃの太陽電池パネル５の桁行方向の中央部分は、瓦部材３００と一段目の太陽電池モジュール４０２Ａとの境界部分近傍に位置している。
二段目の太陽電池モジュール４０２Ｃは、図５７，図５８から読み取れるように、軒先側枠部４０６の係合部４７２が中間取付金具３０３の第２板部３３２及び一段目の太陽電池モジュール４０２Ａの棟側枠部４０５の導電部材４２１と係合している。
具体的には、二段目の太陽電池モジュール４０２Ｃは、中間取付金具３０３の第２板部３３２を導電部材４６４の押圧部４９７と係合部４７２の下板部４８２の間に通過させ、挿入空間４８３内に進入させている。すなわち、導電部材４６４の押圧部４９７は、中間取付金具３０３の第２板部３３２によって押圧されて弾性変形し、その弾性復元力によって、中間取付金具３０３の第２板部３３２を下方に向けて押圧している。導電部材４６４の押圧部４９７と中間取付金具３０３の第２板部３３２との接触部位は、二段目の太陽電池モジュール２Ｃの受光面７の天地方向の投影面上に位置している。
また、二段目の太陽電池モジュール４０２Ｃは、図５８のように、一段目の太陽電池モジュール４０２Ａの導電部材４２１の係合板部４４２を導電部材４６３の押圧部４９７と係合部４７２の下板部４８２の間に通過させ、挿入空間４８３内に進入させている。すなわち、導電部材４６３の押圧部４９７は、導電部材４２１の係合板部４４２によって押圧されて弾性変形し、その弾性復元力によって、導電部材４２１の係合板部４４２を下方に向けて押圧している。
導電部材４６３の押圧部４９７と導電部材４２１の係合板部４４２との接触部位は、二段目の太陽電池モジュール４０２Ｃの受光面７の天地方向の投影面上に位置している。
二段目の太陽電池モジュール４０２Ｃは、基礎屋根構造３０４の瓦棒３０７上に載置されている。また、締結要素３９は、太陽電池モジュール４０２Ｃの棟側枠部４０５の固定部４２６の固定孔４３６及び導電部材４２１の固定孔４４５を挿通し、瓦棒３０７に打設されている。
【０２２３】
続いて、図５９（ａ）のように、二段目の太陽電池モジュール４０２Ｄ（４０２）の軒先側枠部４０６を一段目の太陽電池モジュール４０２Ａ，４０２Ｂの棟側枠部４０５に引っかけて棟側に移動させ、基礎屋根構造３０４の瓦棒３０７上に載置する。そして、図５９（ｂ）のように、この太陽電池モジュール４０２Ｄを桁行方向に隣接する太陽電池モジュール４０２Ｃに相対的に近接させて太陽電池モジュール４０２Ｄの位置決めをし、釘等の締結要素３９によって太陽電池モジュール４０２Ｄを基礎屋根構造３０４に固定する。
【０２２４】
このとき、二段目の太陽電池モジュール４０２Ｄは、桁行方向において、一段目の太陽電池モジュール４０２Ａ，４０２Ｂに跨って配されている。二段目の太陽電池モジュール４０２Ｄの太陽電池パネル５の桁行方向の中央部分は、一段目の太陽電池モジュール４０２Ａ，４０２Ｂの境界部分近傍に位置している。
二段目の太陽電池モジュール４０２Ｄは、軒先側枠部４０６の係合部４７２が一段目の太陽電池モジュール４０２Ａ，４０２Ｂの棟側枠部４０５，４０５の導電部材４２１，４２１のそれぞれと係合している。
具体的には、二段目の太陽電池モジュール４０２Ｄは、一段目の太陽電池モジュール４０２Ａの導電部材４２１の係合板部４４２を導電部材４６４の押圧部４９７と係合部４７２の下板部４８２の間に通過させ、挿入空間４８３内に進入させている。すなわち、導電部材４６４の押圧部４９７は、導電部材４２１の係合板部４４２によって押圧されて弾性変形し、その弾性復元力によって、導電部材４２１の係合板部４４２を下方に向けて押圧している。導電部材４６４の押圧部４９７と導電部材４２１の係合板部４４２との接触部位は、二段目の太陽電池モジュール４０２Ｄの受光面７の天地方向の投影面上に位置している。
同様に、二段目の太陽電池モジュール４０２Ｄは、一段目の太陽電池モジュール４０２Ｂの導電部材４２１の係合板部４４２を導電部材４６３の押圧部４９７と係合部４７２の下板部４８２の間に通過させ、挿入空間４８３内に進入させている。すなわち、導電部材４６３の押圧部４９７は、導電部材４２１の係合板部４４２によって押圧されて弾性変形し、その弾性復元力によって、導電部材４２１の係合板部４４２を下方に向けて押圧している。導電部材４６３の押圧部４９７と導電部材４２１の係合板部４４２との接触部位は、二段目の太陽電池モジュール４０２Ｄの受光面７の天地方向の投影面上に位置している。
また、二段目の太陽電池モジュール４０２Ｄは、基礎屋根構造３０４の瓦棒３０７上に載置されている。また、締結要素３９は、太陽電池モジュール４０２Ｄの棟側枠部４０５の固定部４２６の固定孔４３６及び導電部材４２１の固定孔４４５を挿通し、瓦棒３０７に打設されている。
太陽電池モジュール４０２Ｃの左側枠部４０７は、閉塞部１４１が太陽電池モジュール４０２Ｄの右側枠部４０８の閉塞部１４６と当接又は近接しており、流路１３５の上方が当該閉塞部１４６によって覆われている。
【０２２５】
二段目の太陽電池モジュール４０２の基礎屋根構造３０４への敷設が完了すると、三段目以降の瓦部材３００及び太陽電池モジュール４０２を敷設していき、屋根構造１が完成する。
【０２２６】
本実施形態の太陽電池モジュール４０２によれば、補強桟４１０によって太陽電池パネル５が補強されているため、破損しにくい。
【０２２７】
上記した実施形態では、太陽電池パネル５として結晶型太陽電池パネルを採用したが、本発明はこれに限定されるものではなく、太陽電池パネル５は、他の種類の太陽電池パネルであってもよい。例えば、ガラス基板上に薄膜層を積層した薄膜型太陽電池パネルであってもよい。
【０２２８】
上記した実施形態では、雪止め部６６の延び方向の両端部及び中間部に切り欠き部５８，５９，６４が形成して太陽電池パネル５上を流れる雨水等を軒先側に通水させていたが、本発明はこれに限定されるものではない。例えば、図６０のように、切り欠き部６４を分割片２３に設ける代わりに、第１分割片２２に対して複数の切り欠き部６４がない第２分割片２３，２３を所定の間隔を空けて取り付けることによって、横方向Ｘに隙間５６０を形成して通水口を形成してもよい。
また、例えば、切り欠き部５８，５９を分割片２３に設ける代わりに、切り欠き部６４がない第２分割片２３を第１分割片２２の横方向Ｘの両端部まで設置せず、第１分割片２２上に第２分割片２３が設けられていない通水口５６１，５６２を形成する。そして、桁行方向に隣接する太陽電池モジュール２，２の通水口５６１，５６２を重ねて通水路５６３を形成してもよい。
【０２２９】
上記した実施形態では、軒先側枠部１６の雪止め部６６は、延び方向の中間部に１つの切り欠き部６４が形成されていたが、本発明はこれに限定されるものではない。図６１のように、軒先側枠部１６の雪止め部６６は、延び方向の中間部に複数の切り欠き部６４が形成されていてもよい。
【０２３０】
上記した実施形態では、基礎屋根構造３０４に対して右側から左側の順に瓦部材３００及び太陽電池モジュール２，４０２を敷設していたが、本発明はこれに限定されるものではなく、図６２のように、基礎屋根構造３０４に対して右側から左側の順に瓦部材３００及び太陽電池モジュール２，４０２を敷設してもよい。
【０２３１】
上記した実施形態では、第１骨格部６１に第１凹溝６９が形成され、第１ガスケット部１００に第１凸条部１０７が形成されていたが、本発明はこれに限定されるものではなく、図６３のように、第１骨格部６１に第１凸条部１０７が形成され、第１ガスケット部１００に第１凹溝６９が形成されていてもよい。すなわち、凹凸の関係が逆転していてもよい。
同様に、上記した実施形態では、第２骨格部６２に第２凹溝７９が形成され、第２ガスケット部１０１に第２凸条部１１７が形成されていたが、本発明はこれに限定されるものではなく、第２骨格部６２に第２凸条部１１７が形成され、第２ガスケット部１０１に第２凹溝７９が形成されていてもよい。
【０２３２】
上記した実施形態では、第１ガスケット部１００が太陽電池パネル５の軒先側の端面を覆っていたが、本発明はこれに限定されるものではない。図６４（ａ）のように、第２ガスケット部１０１が太陽電池パネル５の軒先側の端面を覆っていてもよい。すなわち、第２分割片２３の第２ガスケット部１０１に端面側緩衝部１０３を設けてもよい。
この場合、太陽電池パネル５の交換を行う場合には、図６４（ｂ）のように、第２分割片２３の端面側緩衝部１０３を弾性変形させて、使用済み太陽電池パネル５を引き抜いて交換することが好ましい。
【０２３３】
上記した実施形態では、棟側ガスケット部２８は、硬質ガスケット部４５と軟質ガスケット部４６の２層の押出成形によって成形されていたが、本発明はこれに限定されるものではない。硬質ガスケット部４５と軟質ガスケット部４６は、それぞれ別途押出成形によって形成し、その後、硬質ガスケット部４５と軟質ガスケット部４６を接着して一体としてもよい。また、棟側ガスケット部２８は、一種類の材料で成形されていてもよい。
【符号の説明】
【０２３４】
１，４００  屋根構造
２ａ，４０２ａ  第１太陽電池モジュール
２ｂ，４０２ｂ  第２太陽電池モジュール
５  太陽電池パネル
６ａ，６ｂ，４０３ａ，４０３ｂ  保持部材
７  受光面
９ｂ，４１２ｂ  軒先側張出部（軒棟側張出部）
１６，４０６  軒先側枠部
２２，２０７，４５７，５５５  第１分割片
２３，２０８，４５８，５５６  第２分割片
５６  係合部（第２係合部）
６１，２０２  第１骨格部
６２，２０３  第２骨格部
６９  第１凹溝
７９  第２凹溝
１００  第１ガスケット部
１０１  第２ガスケット部
１０７  第１凸条部
１１７  第２凸条部
１６７  係止片（第１係合部）
３０１  屋根下地
４４２  係合板部（第２係合部）
４７２  係合部（第１係合部）
【図１】
0006779031.tif 000002
【図２】
0006779031.tif 000003
【図３】
0006779031.tif 000004
【図４】
0006779031.tif 000005
【図５】
0006779031.tif 000006
【図６】
0006779031.tif 000007
【図７】
0006779031.tif 000008
【図８】
0006779031.tif 000009
【図９】
0006779031.tif 000010
【図１０】
0006779031.tif 000011
【図１１】
0006779031.tif 000012
【図１２】
0006779031.tif 000013
【図１３】
0006779031.tif 000014
【図１４】
0006779031.tif 000015
【図１５】
0006779031.tif 000016
【図１６】
0006779031.tif 000017
【図１７】
0006779031.tif 000018
【図１８】
0006779031.tif 000019
【図１９】
0006779031.tif 000020
【図２０】
0006779031.tif 000021
【図２１】
0006779031.tif 000022
【図２２】
0006779031.tif 000023
【図２３】
0006779031.tif 000024
【図２４】
0006779031.tif 000025
【図２５】
0006779031.tif 000026
【図２６】
0006779031.tif 000027
【図２７】
0006779031.tif 000028
【図２８】
0006779031.tif 000029
【図２９】
0006779031.tif 000030
【図３０】
0006779031.tif 000031
【図３１】
0006779031.tif 000032
【図３２】
0006779031.tif 000033
【図３３】
0006779031.tif 000034
【図３４】
0006779031.tif 000035
【図３５】
0006779031.tif 000036
【図３６】
0006779031.tif 000037
【図３７】
0006779031.tif 000038
【図３８】
0006779031.tif 000039
【図３９】
0006779031.tif 000040
【図４０】
0006779031.tif 000041
【図４１】
0006779031.tif 000042
【図４２】
0006779031.tif 000043
【図４３】
0006779031.tif 000044
【図４４】
0006779031.tif 000045
【図４５】
0006779031.tif 000046
【図４６】
0006779031.tif 000047
【図４７】
0006779031.tif 000048
【図４８】
0006779031.tif 000049
【図４９】
0006779031.tif 000050
【図５０】
0006779031.tif 000051
【図５１】
0006779031.tif 000052
【図５２】
0006779031.tif 000053
【図５３】
0006779031.tif 000054
【図５４】
0006779031.tif 000055
【図５５】
0006779031.tif 000056
【図５６】
0006779031.tif 000057
【図５７】
0006779031.tif 000058
【図５８】
0006779031.tif 000059
【図５９】
0006779031.tif 000060
【図６０】
0006779031.tif 000061
【図６１】
0006779031.tif 000062
【図６２】
0006779031.tif 000063
【図６３】
0006779031.tif 000064
【図６４】
0006779031.tif 000065